(57)【要約】【課題】内容物に温度むらや凍結障害が生じることなく、内容物の保冷状態を保つことができる保冷容器を提供する。保冷容器に配置される冷媒を支持し、内容物に温度むらや凍結障害が生じることなく、内容物の保冷状態を保つことができる冷媒受けを提供する。【解決手段】互いに組み付けられる底面パネル３０Ａ、側面パネル１０および天井パネル３０Ｂを有する組み立て式の保冷容器１であって、側面パネル１０の内面に、上方の冷気を下方に送り込む通気路が上下方向に沿って形成されている。【選択図】図１
2020055630.tif 000002
【特許請求の範囲】
【請求項１】
互いに組み付けられる底面パネル、側面パネルおよび天井パネルを有する組み立て式の保冷容器であって、
前記側面パネルの内面に、上方の冷気を下方に送り込む通気路が上下方向に沿って形成されていることを特徴とする保冷容器。
【請求項２】
前記側面パネルは、少なくとも上下方向に複数の単位パネルから構成され、
前記単位パネルの一方の面には前記通気路を構成する通気溝が上下方向に沿って形成され、前記単位パネルの上下方向の端縁にはそれぞれ嵌合部が設けられ、
前記嵌合部には、前記通気溝に連通する連通部が形成され、
上側の前記単位パネルの前記嵌合部と下側の前記単位パネルの前記嵌合部とが嵌合されると、上側の前記単位パネルの前記通気溝と下側の前記単位パネルの前記通気溝とが前記連通部を介して連通されることを特徴とする請求項１に記載の保冷容器。
【請求項３】
前記嵌合部は、前記単位パネルの上下方向の端縁に形成された嵌合凹部と嵌合凸部とから構成され、
前記連通部は前記嵌合凸部に設けられた縦溝と横溝とからなり、
前記縦溝は前記通気溝と連通され、
上側の前記単位パネルの前記嵌合部と下側の前記単位パネルの前記嵌合部とが嵌合されると、前記嵌合凸部に設けられた前記横溝同士が接続されて、上側の前記単位パネルの前記通気溝と下側の前記単位パネルの前記通気溝とが連通されることを特徴とする請求項２に記載の保冷容器。
【請求項４】
前記嵌合部は、前記単位パネルの上下方向の端縁に形成された複数の嵌合凹部と複数の嵌合凸部とから構成され、
上側の前記単位パネルの前記嵌合部と下側の前記単位パネルの嵌合部とが嵌合されるときに、当接される前記嵌合凸部同士の一方の前記嵌合凸部の端面に突起が形成され、他方の前記嵌合凸部の端面に前記突起を受け入れる窪みが形成されていることを特徴とする請求項２または請求項３に記載の保冷容器。
【請求項５】
冷媒を支持する冷媒受けを備え、
前記冷媒受けは、前記側面パネルに支持される本体部と、前記本体部の上面を第１空間と第２空間とに区画する区画壁部と、前記冷媒の冷気を前記本体部の上面から下側へ送り込む流路と、を有することを特徴とする請求項１または請求項２に記載の保冷容器。
【請求項６】
前記区画壁部には、前記第１空間と前記第２空間とを連通する通路が形成されていることを特徴とする請求項５に記載の保冷容器。
【請求項７】
前記保冷容器内に収容される内容物を上下方向に覆う保温シートを備えることを特徴とする請求項１から請求項６のいずれか一項に記載の保冷容器。
【請求項８】
底板、底板周縁を囲む側板、および該側板の上端部に形成される開口を塞ぐ天板からなる保冷容器であって、
前記保冷容器内の上部に配置される冷媒を支持する冷媒受けを備え、
前記冷媒受けは前記側板の上部に設置され、
前記冷媒受けは、本体部と、該本体部の上面に第１空間および第２空間を区画する区画壁と、前記冷媒の冷気を前記本体部の上面から下側へ送り込む流路とを有し、
前記第１空間には相対的に融点の低い冷媒が配置され、前記第２空間には相対的に融点の高い冷媒が配置されることを特徴とする保冷容器。
【請求項９】
少なくとも前記側板と前記天板との内側に保冷シートが覆われ、
前記保冷シートは発泡樹脂シートの少なくとも一方の面に金属層を有し、
前記保冷シートの金属層の面が前記冷媒受けの前記本体部の上面に向けられていることを特徴とする請求項８に記載の保冷容器。
【請求項１０】
本体部の上面に第１空間および第２空間を区画する区画壁と、冷媒の冷気を前記本体部の上面から下側へ送り込む流路と、を有し、
前記第１空間および前記第２空間にて冷媒を支持することを特徴とする冷媒受け。
【請求項１１】
保冷容器の上部に配置される冷媒受けであって、
前記冷媒受けの中央部と周縁部との間に凹状に設けられた冷媒支持部を備えることを特徴とする冷媒受け。
【請求項１２】
前記周縁部は、複数の切欠き部と、前記冷媒支持部と前記切欠き部とを連通する複数の連通溝と、を有することを特徴とする請求項１１に記載の冷媒受け。
【請求項１３】
前記冷媒支持部は、冷媒を支持する傾斜支持面と、該傾斜支持面に設けられて前記切欠き部に連通する冷気溝と、前記周縁部に隣接する貫通孔と、を有することを特徴とする請求項１２に記載の冷媒受け。
【請求項１４】
前記傾斜支持面は、前記中央部から前記周縁部へ近づくほど前記冷媒受けの下面に近づくように傾斜していることを特徴とする請求項１３に記載の冷媒受け。
【請求項１５】
前記傾斜支持面は、前記冷媒支持部の少なくとも一部を覆う被覆材の表面であることを特徴とする請求項１３または請求項１４に記載の冷媒受け。
【請求項１６】
前記底面パネルは、複数の仮穴を有し、
前記仮穴は、前記保冷容器の内容物を固縛するための締結バンドを通すことによって破断される底壁を有することを特徴とする請求項１に記載の保冷容器。
【発明の詳細な説明】
【技術分野】
【０００１】
本発明は、保冷容器および冷媒受けに関する。
【背景技術】
【０００２】
近年、グローバル化に伴って、航空機による輸出の需要が増加している。航空貨物の輸送コストの関係から、積載効率、または資材重量、特に冷媒の軽量化が求められている。そのため、航空貨物で保冷が必要となる場合、集合包装が採用されている。集合包装としては、発泡プラスチック等の大型容器が検討されている。しかしながら、このような大型容器を製造するには、特殊な成型機が必要であるため、資材コストが高くなるという課題がある。また、空の大型容器を保管したり、輸送したりするにもコストがかかるという課題がある。
【０００３】
そこで、従来、汎用の成型機で製造可能な発泡プラスチックを組み立てて、集合包装を実現していた。
集合包装としては、例えば、四角形状の発泡熱可塑性樹脂板からなる板部材であって、各辺に切欠溝を形成した第一の板部材と、各辺に上記切欠溝と嵌合する突出部を形成した第二の板部材と、対称な二辺に上記第一の板部材における切欠溝と嵌合する突出部を形成するとともに、他の対称な二辺に上記第二の板部材における突出部が嵌合する切欠溝を形成した第三の板部材とからなり、これら各板部材を、それぞれ複数枚用いて分解可能に組立てた組立式保温・保冷箱が開示されている（例えば、特許文献１参照）。
【先行技術文献】
【特許文献】
【０００４】
【特許文献１】実開昭６３−１２０８２４号公報
【発明の概要】
【発明が解決しようとする課題】
【０００５】
しかしながら、従来の組立式容器は、大型であるため、内容物に温度むらが生じる。そこで、従来、冷媒量を増やして、内容物の温度上昇が最も大きい箇所を規定の温度内に収まるように調整していた。すると、冷媒近傍に配置されている内容物の温度が下がりすぎて、凍結障害が生じるという課題があった。
【０００６】
本発明は、上記事情に鑑みてなされたものであって、内容物に温度むらや凍結障害が生じることなく、内容物の保冷状態を保つことができる保冷容器を提供することを目的とする。また、本発明は、保冷容器に配置される冷媒を支持し、内容物に温度むらや凍結障害が生じることなく、内容物の保冷状態を保つことができる冷媒受けを提供することを目的とする。
【課題を解決するための手段】
【０００７】
前記課題を解決するために、本発明は以下の手段を提案している。
本発明に係る保冷容器は、互いに組み付けられる底面パネル、側面パネルおよび天井パネルを有する組み立て式の保冷容器であって、前記側面パネルの内面に、上方の冷気を下方に送り込む通気路が上下方向に沿って形成されている。
【０００８】
前記側面パネルは、少なくとも上下方向に複数の単位パネルから構成され、前記複数の単位パネルの一方の面には前記通気路を構成する通気溝が上下方向に沿って形成され、前記単位パネルの上下方向の端縁にはそれぞれ嵌合部が設けられ、前記嵌合部には、前記通気溝に連通する連通部が形成され、上側の単位パネルの嵌合部と下側の単位パネルの嵌合部とが嵌合されると、上側の単位パネルの通気溝と下側の単位パネルの通気溝とが前記連通部を介して連通されていてもよい。
【０００９】
前記嵌合部は、前記単位パネルの上下方向の端縁に形成された嵌合凹部と嵌合凸部とから構成され、前記連通部は前記嵌合凸部に設けられた縦溝と横溝とからなり、前記縦溝は前記通気溝と連通され、前記上側の単位パネルの嵌合部と前記下側の単位パネルの嵌合部とが嵌合されると、前記嵌合凸部に設けられた横溝同士が接続されて、前記上側の単位パネルの通気溝と前記下側の単位パネルの通気溝とが連通されていてもよい。
【００１０】
前記嵌合部は、前記単位パネルの上下方向の端縁に形成された複数の嵌合凹部と複数の嵌合凸部とから構成され、前記上側の単位パネルの嵌合部と前記下側の単位パネルの嵌合部とが嵌合されるときに、当接される前記嵌合凸部同士の一方の嵌合凸部の端面に突起が形成され、他方の嵌合凸部の端面に前記突起を受け入れる窪みが形成されていてもよい。
【００１１】
冷媒を支持する冷媒受けを備え、前記冷媒受けは、前記保冷容器に支持される本体部と、前記本体部の上面を第１空間と第２空間とに区画する区画壁部と、前記冷媒の冷気を前記本体部の上面から下側へ送り込む流路と、を有する貫通孔が形成されていてもよい。
【００１２】
前記区画壁部には、前記第１空間と前記第２空間とを連通する通路が形成されていてもよい。
【００１３】
前記保冷容器内に収容される内容物を上下方向に覆う保温シートを備えていてもよい。
【００１４】
本発明に係る保冷容器は、底板、底板周縁を囲む側板、および該側板の上端部に形成される開口を塞ぐ天板からなる保冷容器であって、前記容器内の上部に配置される冷媒を支持する冷媒受けを備え、前記冷媒受けは前記容器側板の上部に設置され、前記冷媒受けは本体部と、該本体部の上面に第１空間および第２空間を区画する区画壁と、前記冷媒の冷気を前記本体部の上面から下側へ送り込む流路とを有し、前記第１空間には相対的に融点の低い冷媒が配置され、前記第２空間には相対的に融点の高い冷媒が配置される。
【００１５】
少なくとも前記側板と天板との内側に保冷シートが覆われ、前記保冷シートは発泡樹脂シートの少なくとも一方の面に金属層を有し、前記保冷シートの金属層の面が前記冷媒受けの本体部の上面に向けられていてもよい。
【００１６】
本発明に係る冷媒受けは、本体部の上面に第１空間および第２空間を区画する区画壁と、冷媒の冷気を前記本体部の上面から下側へ送り込む流路とを有し、前記第１空間および前記第２空間にて冷媒を支持する。
【発明の効果】
【００１７】
本発明によれば、内容物に温度むらや凍結障害が生じることなく、内容物の保冷状態を保つことができる保冷容器を提供することができる。本発明によれば、保冷容器に配置される冷媒を支持し、内容物に温度むらや凍結障害が生じることなく、内容物の保冷状態を保つことができる冷媒受けを提供することができる。
【図面の簡単な説明】
【００１８】
【図１】本発明の一実施形態の保冷容器を示す斜視図である。
【図２】本発明の一実施形態の保冷容器の側面パネルの表面側を示す平面図である。
【図３】本発明の一実施形態の保冷容器の側面パネルの上下方向を示す側面図である。
【図４】本発明の一実施形態の保冷容器の側面パネルの裏面側を示す平面図である。
【図５】本発明の一実施形態の保冷容器の側面パネルの左右方向を示す側面図である。
【図６】本発明の一実施形態の保冷容器の側面パネルの表面側を示す斜視図である。
【図７】本発明の一実施形態の保冷容器の側面パネルの裏面側を示す斜視図である。
【図８】本発明の一実施形態の保冷容器の側面パネルの裏面側を示す平面図である。
【図９】本発明の一実施形態の保冷容器の側面パネルの表面側を示す平面図である。
【図１０】本発明の一実施形態の保冷容器の底面パネルおよび天井パネルの表面側を示す平面図である。
【図１１】本発明の一実施形態の保冷容器の底面パネルおよび天井パネルを示す側面図である。
【図１２】本発明の一実施形態の保冷容器の底面パネルおよび天井パネルの裏面側を示す平面図である。
【図１３】本発明の一実施形態の保冷容器の底面パネルおよび天井パネルを示す側面図である。
【図１４】本発明の一実施形態の保冷容器の底面パネルおよび天井パネルの表面側を示す斜視図である。
【図１５】本発明の一実施形態の保冷容器の底面パネルおよび天井パネルの裏面側を示す斜視図である。
【図１６】本発明の一実施形態の保冷容器の冷媒受けの表面側を示す平面図である。
【図１７】本発明の一実施形態の保冷容器の冷媒受けを示す側面図である。
【図１８】本発明の一実施形態の保冷容器の冷媒受けを示す側面図である。
【図１９】本発明の一実施形態の保冷容器の冷媒受けを示し、図１６のＡ−Ａ線に沿う断面図である。
【図２０】本発明の一実施形態の保冷容器の冷媒受けの裏面側を示す平面図である。
【図２１】本発明の一実施形態の保冷容器の冷媒受けの裏面側を示す斜視図である。
【図２２】本発明の一実施形態の保冷容器の使用方法を示す斜視図である。
【図２３】本発明の一実施形態の保冷容器の使用方法を示す斜視図である。
【図２４】本発明の一実施形態の保冷容器の使用方法を示す斜視図である。
【図２５】本発明の一実施形態の保冷容器の使用方法を示す斜視図である。
【図２６】本発明の一実施形態の保冷容器の使用方法を示す斜視図である。
【図２７】本発明の一実施形態の保冷容器の使用方法を示す斜視図である。
【図２８】本発明の一実施形態の保冷容器の使用方法を示す斜視図である。
【図２９】本発明の一実施形態の保冷容器の使用方法を示す斜視図である。
【図３０】本発明の一実施形態の保冷容器の使用方法を示す斜視図である。
【図３１】本発明の変形例に係る保冷容器を示す斜視図である。
【図３２】本発明の変形例に係る保冷容器を示す正面図である。
【図３３】本発明の一実施形態の保冷容器の冷媒受けの斜視図である。
【図３４】図３３に示す冷媒受けを構成する部品の斜視図である。
【図３５】図３４に示す冷媒受けの部品を下方から見た斜視図である。
【図３６】本発明の一実施形態の保冷容器の底面パネルの斜視図である。
【図３７】図３６に示す底面パネルを構成する部品の斜視図である。
【図３８】図３７に示す底面パネルの部品を下方から見た斜視図である。
【図３９】本発明の一実施形態の保冷容器の使用方法を示す斜視図である。
【図４０】本発明の一実施形態の保冷容器の側面パネルの斜視図である。
【発明を実施するための形態】
【００１９】
本発明の保冷容器および冷媒受けの実施の形態について説明する。
なお、本実施の形態は、発明の趣旨をより良く理解させるために具体的に説明するものであり、特に指定のない限り、本発明を限定するものではない。
【００２０】
［保冷容器］
図１は、本実施形態の保冷容器を示す斜視図である。図２は、本実施形態の保冷容器の側面パネルの表面側を示す平面図である。図３は、本実施形態の保冷容器の側面パネルの上下方向を示す側面図である。図４は、本実施形態の保冷容器の側面パネルの裏面側を示す平面図である。図５は、本実施形態の保冷容器の側面パネルの左右方向を示す側面図である。図６は、本実施形態の保冷容器の側面パネルの表面側を示す斜視図である。図７は、本実施形態の保冷容器の側面パネルの裏面側を示す斜視図である。図８は、本実施形態の保冷容器の側面パネルの裏面側を示す平面図である。図９は、本実施形態の保冷容器の側面パネルの表面側を示す平面図である。図１０は、本実施形態の保冷容器の底面パネルおよび天井パネルの表面側を示す平面図である。図１１は、本実施形態の保冷容器の底面パネルおよび天井パネルを示す側面図である。図１２は、本実施形態の保冷容器の底面パネルおよび天井パネルの裏面側を示す平面図である。図１３は、本実施形態の保冷容器の底面パネルおよび天井パネルを示す側面図である。図１４は、本実施形態の保冷容器の底面パネルおよび天井パネルの表面側を示す斜視図である。図１５は、本実施形態の保冷容器の底面パネルおよび天井パネルの裏面側を示す斜視図である。図１６は、本実施形態の保冷容器の冷媒受けの表面側を示す平面図である。図１７は、本実施形態の保冷容器の冷媒受けを示す側面図である。図１８は、本実施形態の保冷容器の冷媒受けを示す側面図である。図１９は、本実施形態の保冷容器の冷媒受けを示し、図１６のＡ−Ａ線に沿う断面図である。図２０は、本実施形態の保冷容器の冷媒受けの裏面側を示す平面図である。図２１は、本実施形態の保冷容器の冷媒受けの裏面側を示す斜視図である。
【００２１】
図１に示すように、本実施形態の保冷容器１は、側面パネル１０と、底面パネル３０Ａと、天井パネル３０Ｂと、を有する。保冷容器１は、側面パネル１０と、底面パネル３０Ａと、天井パネル３０Ｂとが互いに組み付けられてなる、組み立て式の容器である。本実施形態の保冷容器１は、立方体状をなしている。
保冷容器１は、内部に内容物を収容して、その内容物を保冷するためのものである。また、側面パネル１０、底面パネル３０Ａおよび天井パネル３０Ｂは、ポリエチレン、ポリスチレン、ポリエチレンテレフタレート等からなる発泡体である。
【００２２】
図１、図８および図９に示すように、側面パネル１０は平面視正方形状をなしている。また、側面パネル１０は、図８に示すように、保冷容器１の上下方向に分割可能な平面視長方形状の単位パネル１０Ａと平面視長方形状の単位パネル１０Ｂから構成されている。ここで、単位パネル１０Ａと単位パネル１０Ｂとは同一形状を有しており、説明の都合上、上側の単位パネル１０Ａと下側の単位パネル１０Ｂとに分けている。また、後述する単位パネル１０Ａ、１０Ｂの端縁に形成される嵌合部を構成する凹凸形状は、向かい合う端縁が点対称に形成されている。
【００２３】
図１、図４、図７および図８に示すように、側面パネル１０の内面１０ａには、保冷容器１の上方の冷気を下方に送り込む通気路を構成する通気溝１１が複数形成されている。詳細には、複数の通気溝１１は、保冷容器１の上下方向（図１に示す保冷容器１の上下方向）に沿って、側面パネル１０の上端から下端を貫くことなく、所定の間隔を置いて、並列に形成されている。すなわち、通気溝１１は上端面および下端面を有している。これにより、通気溝１１に入った冷気は側面パネル１０の上端および下端から保冷容器１の外部に漏れ難くなっている。
【００２４】
図８に示すように、単位パネル１０Ａ，１０Ｂの上下方向（図１に示す保冷容器１の上下方向、図８では紙面の左右方向）の端縁には、嵌合部１２，１３が設けられている。嵌合部１２は、交互に設けられた複数の嵌合凸部１４（１４Ａ〜１４Ｆ）と複数の嵌合凹部１５（１５Ａ〜１５Ｆ）とを含む。嵌合部１３は、交互に設けられた複数の嵌合凸部１６（１６Ａ〜１６Ｆ）と複数の嵌合凹部１７（１７Ａ〜１７Ｆ）とを含む。
【００２５】
図１、図８および図９に示すように、上側の単位パネル１０Ａの嵌合部１３と下側の単位パネル１０Ｂの嵌合部１２が、上下方向に嵌合する。詳細には、単位パネル１０Ａの嵌合凸部１６Ａが単位パネル１０Ｂの嵌合凹部１５Ａに嵌合し、単位パネル１０Ｂの嵌合凸部１４Ａが単位パネル１０Ａの嵌合凹部１７Ａに嵌合し、単位パネル１０Ａの嵌合凸部１６Ｂが単位パネル１０Ｂの嵌合凹部１５Ｂに嵌合し、単位パネル１０Ｂの嵌合凸部１４Ｂが単位パネル１０Ａの嵌合凹部１７Ｂに嵌合し、単位パネル１０Ａの嵌合凸部１６Ｃが単位パネル１０Ｂの嵌合凹部１５Ｃに嵌合し、単位パネル１０Ｂの嵌合凸部１４Ｃが単位パネル１０Ａの嵌合凹部１７Ｃに嵌合し、単位パネル１０Ａの嵌合凸部１６Ｄが単位パネル１０Ｂの嵌合凹部１５Ｄに嵌合し、単位パネル１０Ｂの嵌合凸部１４Ｄが単位パネル１０Ａの嵌合凹部１７Ｄに嵌合し、単位パネル１０Ａの嵌合凸部１６Ｅが単位パネル１０Ｂの嵌合凹部１５Ｅに嵌合し、単位パネル１０Ｂの嵌合凸部１４Ｅが単位パネル１０Ａの嵌合凹部１７Ｅに嵌合し、単位パネル１０Ａの嵌合凸部１６Ｆが単位パネル１０Ｂの嵌合凹部１５Ｆに嵌合し、単位パネル１０Ｂの嵌合凸部１４Ｆが単位パネル１０Ａの嵌合凹部１７Ｆに嵌合する。なお、嵌合凸部１４（１４Ａ〜１４Ｆ）と嵌合凸部１６（１６Ａ〜１６Ｆ）には、面取りがある。
【００２６】
側面パネル１０（単位パネル１０Ａ，１０Ｂ）の内面１０ａにおいて、嵌合部１２の嵌合凸部１４、１６（１４Ａ〜１４Ｆ、１６Ａ〜１６Ｆ）には、上側に配置される単位パネル１０Ａに形成された通気溝１１と下側に配置される単位パネル１０Ｂに形成された通気溝１１とを連通するための連通部（連通溝）が形成されている。連通部により、単位パネル１０Ａと単位パネル１０Ｂを上下に組み合わせたときに、上側の単位パネル１０Ａの通気溝１１の冷気を、下側の単位パネル１０Ａの通気溝１１に送ることができる。具体的には、連通部（連通溝）は、縦溝１４ａと横溝１４ｂとからなる。嵌合凸部１４（１４Ａ〜１４Ｆ）には通気溝１１と連通する少なくとも一つの縦溝１４ａが形成されている。さらに、嵌合凸部１４（１４Ａ〜１４Ｆ）には、縦溝１４ａと連通する横溝１４ｂが形成されている。ここで、縦溝１４ａは嵌合凸部１４（後述する嵌合凸部１６）を貫くことなく（外側へ開通することなく）、すなわち、縦溝１４ａの一端は、通気溝１１に連通し、他端は横溝１４ｂと連通されている。また、横溝１４ｂの少なくとも一端は、嵌合凸部１４から嵌合凹部１５に開通している。
側面パネル１０（単位パネル１０Ａ，１０Ｂ）の内面１０ａにおいて、嵌合部１３の嵌合凸部１６（１６Ａ〜１６Ｆ）も嵌合凸部１４と同様に連通溝として縦溝１６ａと横溝１６ｂとが形成されている。
【００２７】
図１および図６に示すように、上側の単位パネル１０Ａの嵌合部１３と下側の単位パネル１０Ｂの嵌合部１２が、上下方向に嵌合することにより、上側の単位パネル１０Ａの嵌合部１３の嵌合凸部１６（１６Ａ〜１６Ｆ）の横溝１６ｂは、この嵌合凸部１６（１６Ａ〜１６Ｆ）が並び合う、下側の単位パネル１０Ｂの嵌合部１２の嵌合凸部１４（１４Ａ〜１４Ｆ）の横溝１４ｂに接続される。
これにより、保冷容器１内において、保冷容器１内に収容される内容物の上方に配置される冷媒からの冷気を、上側の単位パネル１０Ａの内面１０ａから下側の単位パネル１０Ｂの内面１０ａに沿って、上下の単位パネル１０Ａ，１０Ｂが連結された境目から冷気が漏れることなく、冷気を流すことができる。
【００２８】
図６および図７に示すように、単位パネル１０Ａ，１０Ｂの嵌合部１２，１３の嵌合凸部１４，１６が嵌合するときに、隣接する嵌合凸部１４，１６の一方の嵌合凸部の端面に突起３６が設けられ、他方の嵌合凸部の端面には突起を受け入れる窪み３７が設けられている。すなわち、単位パネル１０Ａ，１０Ｂを組み立てる際、嵌合凸部１４と嵌合凸部１６とを嵌合するときに当接される嵌合凸部１４または嵌合凸部１６の端面に突起３６が設けられ、他方の嵌合凸部１４または嵌合凸部１６の端面に窪み３７が設けられる。すなわち、嵌合凸部１４と嵌合凸部１６とが嵌め合うときに突起３６が窪み３７に入り込む。これにより、保冷容器１の組立作業時に、作業者が、パネルが隙間なく嵌り、隙間が生じていないことを感覚的に確認することができる。
図６および図７に示す突起３６、窪み３７に限られず、突起３６および窪み３７の嵌合凸部１４，１６への配置は組立作業を妨げられない範囲で所望の位置に設けられる。もちろん、突起３６および窪み３７は、後述する、側面パネル１０の嵌合部１８，１９や底面パネル３０Ａおよび天井パネル３０Ｂの端縁の凸部端面に設けることができる。
【００２９】
図１に示すように、上側の単位パネル１０Ａの嵌合部１２と、天井パネル３０Ｂの端縁に設けられた凹凸部３１が嵌合する。また、下側の単位パネル１０Ｂの嵌合部１３と、底面パネル３０Ａの端縁に設けられた凹凸部３１が嵌合する。
【００３０】
図１、図２、図４〜図８に示すように、単位パネル１０Ａ，１０Ｂの左右方向（図１に示す保冷容器１の左右方向）の端縁には、嵌合部１８，１９が設けられている。嵌合部１８は、交互に設けられた複数の嵌合凹部２０（２０Ａ〜２０Ｃ）と複数の嵌合凸部２１（２１Ａ〜２１Ｃ）とを含む。嵌合部１９は、交互に設けられた複数の嵌合凸部２２（２２Ａ〜２２Ｃ）と複数の嵌合凹部２３（２３Ａ〜２３Ｃ）とを含む。
【００３１】
図１、図４、図７および図８に示すように、側面パネル１０の内面１０ａには、後述する冷媒受け５０を保持する保持溝２４，２５が形成されている。詳細には、側面パネル１０の内面１０ａには、保冷容器１の左右方向（図１に示す保冷容器１の左右方向）に沿って、嵌合部１８の嵌合凸部２１Ａから嵌合部１９の嵌合凹部２３Ａに延在する保持溝２４と、保冷容器１の左右方向（図１に示す保冷容器１の左右方向）に沿って、嵌合部１８の嵌合凹部２０Ｃから嵌合部１９の嵌合凸部２２Ｃに延在する保持溝２５とが形成されている。すなわち、保持溝２４，２５は、通気溝１１に垂直に間隔を置いて並列に形成されている。保持溝２４は、局所的に広がっている部分２６を有する。保持溝２５は、局所的に広がっている部分２７を有する。
【００３２】
図１に示すように、一方の側面パネル１０の嵌合部１８と他方の側面パネル１０の嵌合部１９が、左右方向に垂直に嵌合する。詳細には、一方の側面パネル１０の嵌合凸部２２Ａが他方の側面パネル１０の嵌合凹部２０Ａに嵌合し、他方の側面パネル１０の嵌合凸部２１Ａが一方の側面パネル１０の嵌合凹部２３Ａに嵌合し、一方の側面パネル１０の嵌合凸部２２Ｂが他方の側面パネル１０の嵌合凹部２０Ｂに嵌合し、他方の側面パネル１０の嵌合凸部２１Ｂが一方の側面パネル１０の嵌合凹部２３Ｂに嵌合し、一方の側面パネル１０の嵌合凸部２２Ｃが他方の側面パネル１０の嵌合凹部２０Ｃに嵌合し、他方の側面パネル１０の嵌合凸部２１Ｃが一方の側面パネル１０の嵌合凹部２３Ｃに嵌合する。なお、嵌合凸部２１（２１Ａ〜２１Ｃ）と嵌合凸部２２（２２Ａ〜２２Ｃ）には、面取りがある。
【００３３】
図１、図１０、図１２、図１４および図１５に示すように、底面パネル３０Ａおよび天井パネル３０Ｂは平面視正方形状をなしている。
底面パネル３０Ａと天井パネル３０Ｂは同一の構成をなしている。
図１、図１０〜図１５に示すように、底面パネル３０Ａおよび天井パネル３０Ｂの端縁には、凹凸部３１（３１Ａ〜３１Ｄ）が設けられている。凹凸部３１は、交互に設けられた複数の凸部３２（３２Ａ〜３２Ｆ）と複数の凹部３３（３３Ａ〜３３Ｆ）とを含む。
凹凸部３１Ａ，３１Ｂ，３１Ｃ，３１Ｄは、同様の構造をなしている。
【００３４】
図１に示すように、底面パネル３０Ａの凹凸部３１と単位パネル１０Ｂの嵌合部１３が、上下方向に嵌合する。詳細には、単位パネル１０Ｂの嵌合凸部１６Ａが底面パネル３０Ａの凹部３３Ａに嵌合し、底面パネル３０Ａの凸部３２Ａが単位パネル１０Ｂの嵌合凹部１７Ａに嵌合し、単位パネル１０Ｂの嵌合凸部１６Ｂが底面パネル３０Ａの凹部３３Ｂに嵌合し、底面パネル３０Ａの凸部３２Ｂが単位パネル１０Ｂの嵌合凹部１７Ｂに嵌合し、単位パネル１０Ｂの嵌合凸部１６Ｃが底面パネル３０Ａの凹部３３Ｃに嵌合し、底面パネル３０Ａの凸部３２Ｃが単位パネル１０Ｂの嵌合凹部１７Ｃに嵌合し、単位パネル１０Ｂの嵌合凸部１６Ｄが底面パネル３０Ａの凹部３３Ｄに嵌合し、底面パネル３０Ａの凸部３２Ｄが単位パネル１０Ｂの嵌合凹部１７Ｄに嵌合し、単位パネル１０Ｂの嵌合凸部１６Ｅが底面パネル３０Ａの凹部３３Ｅに嵌合し、底面パネル３０Ａの凸部３２Ｅが単位パネル１０Ｂの嵌合凹部１７Ｅに嵌合し、単位パネル１０Ｂの嵌合凸部１６Ｆが底面パネル３０Ａの凹部３３Ｆに嵌合し、底面パネル３０Ａの凸部３２Ｆが単位パネル１０Ｂの嵌合凹部１７Ｆに嵌合する。なお、凸部３２（３２Ａ〜３２Ｆ）には、面取りがある。
【００３５】
図１に示すように、天井パネル３０Ｂの凹凸部３１と単位パネル１０Ａの嵌合部１２が、上下方向に嵌合する。詳細には、単位パネル１０Ａの嵌合凸部１４Ｆが天井パネル３０Ｂの凹部３３Ａに嵌合し、天井パネル３０Ｂの凸部３２Ａが単位パネル１０Ａの嵌合凹部１５Ｆに嵌合し、単位パネル１０Ａの嵌合凸部１４Ｅが天井パネル３０Ｂの凹部３３Ｂに嵌合し、天井パネル３０Ｂの凸部３２Ｂが単位パネル１０Ａの嵌合凹部１５Ｅに嵌合し、単位パネル１０Ａの嵌合凸部１４Ｄが天井パネル３０Ｂの凹部３３Ｃに嵌合し、天井パネル３０Ｂの凸部３２Ｃが単位パネル１０Ａの嵌合凹部１５Ｄに嵌合し、単位パネル１０Ａの嵌合凸部１４Ｃが天井パネル３０Ｂの凹部３３Ｄに嵌合し、天井パネル３０Ｂの凸部３２Ｄが単位パネル１０Ａの嵌合凹部１５Ｃに嵌合し、単位パネル１０Ａの嵌合凸部１４Ｂが天井パネル３０Ｂの凹部３３Ｅに嵌合し、天井パネル３０Ｂの凸部３２Ｅが単位パネル１０Ａの嵌合凹部１５Ｂに嵌合し、単位パネル１０Ａの嵌合凸部１４Ａが天井パネル３０Ｂの凹部３３Ｆに嵌合し、天井パネル３０Ｂの凸部３２Ｆが単位パネル１０Ａの嵌合凹部１５Ａに嵌合する。
【００３６】
図１、図１２および図１５に示すように、底面パネル３０Ａと天井パネル３０Ｂの内面３０ａには、内面３０ａの一方向に沿って、複数の溝３４が、所定の間隔を置いて、並列に形成されている。
【００３７】
図１、図１０および図１４に示すように、底面パネル３０の下面３０ｂ（内面３０ａとは反対側の面）に、保冷容器１を載置するパレットが嵌まる窪み部３５が形成されている。
【００３８】
本実施形態の保冷容器１は、図１６〜図２０に示す冷媒受け５０を備える。冷媒受け５０は、保冷容器１内に配置される冷媒を支持する。
図１６および図２０に示すように、冷媒受け５０は平面視正方形状をなしている。また、冷媒受け５０は、ポリエチレン、ポリスチレン、ポリエチレンテレフタレート等からなる発泡体である。
冷媒受け５０は、側面パネル１０に支持される本体部５１と、本体部５１から上方（図１に示す保冷容器１の上方）に突出し、本体部５１上を第１空間５２と第２空間５３とに区画する区画壁部５４と、を有する。区画壁部５４は、本体部５１の平面視略中央において、略矩形状に配置されている。すなわち、本体部５１の中央を第１空間５２とし、第１空間５２の周囲を第２空間として区分けされている。さらにいえば、第１空間５２は、本体部５１上において、区画壁部５４に囲まれる空間（区画壁部５４内の空間）であり、第２空間５３は、本体部５１上において、区画壁部５４に囲まれていない空間である。
【００３９】
本体部５１に形成された区画壁部５４による第１空間５２の配置位置は、本体部５１の平面視略中央でなくてもよく、平面視において本体部５１の四隅に配置されていてもよい。この場合であっても、第１空間５２は第２空間５３の周囲を囲むように形成されていればよい。また、第１空間５２を区分けする区画壁部５４は平面視略矩形であるが、円形、四角形、五角形等、任意に定めることができる。
【００４０】
第１空間５２内には、相対的に融点の低い冷媒が配置され、第２空間５３には相対的に融点の高い冷媒が配置される。これにより、第２空間５３に配置された冷媒が、第１空間５２に配置された冷媒に冷やされて、融解時間を遅らせることができる。すなわち、第２空間５３に配置された冷媒を解け難い状態にすることができる。本実施態様では、第１空間５２内には、ドライアイスが配置され、第２空間５３には、氷が配置される。冷媒としては、ドライアイスや氷だけでなく、相対的に融点の異なる冷媒を組み合わせて使用することができる。
【００４１】
本体部５１は、その上面５１ａの冷気を本体裏側（下面側）に送り込む流路が形成されている。流路は本体部５１の周縁に形成された切り欠き５８および本体部５１の中央よりも外側の貫通孔５５により構成されている。この切り欠き５８および貫通孔５５を介して冷気は第２空間５３から本体裏側へ移動する（流れる）。切り欠き５８および貫通孔５５が本体部５１の中央よりも外側に設けられていることにより、保冷容器１の外側に冷気を送り、保冷容器１の外部からの熱に対応することができる。すなわち、冷気は第２空間５３から流路を通り、側面パネル１０の通気路を通って保冷容器１の底部へと流れることができる。
本実施形態の貫通孔５５は、平面視略矩形の貫通孔であるが、その形状および大きさ、数は温度管理に適したものに定めることができる。また、貫通孔５５の配置位置についても第２空間５３に設けられていればよい。
【００４２】
区画壁部５４には、第１空間５２と第２空間５３とを連通する複数の通路５６が形成されている。この通路５６により、第１空間５２内に配置されたドライアイスの冷気が、氷が配置される第２空間５３に流れるようになっている。
【００４３】
第２空間５３には、本体部５１の上面５１ａ側に、複数の水受け部５７が形成されている。水受け部５７は、第２空間５３に配置された氷が解けて生じた水を受けて、水が冷媒受け５０の下方の空間に滴り落ちて、保冷容器１内に収容された内容物が濡れることを防止する。また、氷に代えて保冷剤を使用する場合であっても、保冷剤を収容する収納容器の周りに発生する結露水が保冷容器１に収容される内容物が濡れることを防止する。
【００４４】
図１６および図２０に示すように、冷媒受け５０の周縁部を、側面パネル１０の内面１０ａに形成された保持溝２４または保持溝２５に嵌め入れることにより、冷媒受け５０が側面パネル１０に支持される。
【００４５】
また、図２１に示すように、冷媒受け５０の本体部５１の裏面５１ｂには、冷媒受け５０の端縁の一方向に平行に、長手方向と垂直な断面の形状がＶ字状の補強材６０，６０が設けられている。この補強材６０を設けることにより、本体部５１の上面５１ａに冷媒を配置しても、冷媒受け５０の撓みが大きくなることを防止できる。
【００４６】
次に、図２２〜図３０を参照して、本実施形態の保冷容器１の使用方法を説明する。
図２２に示すように、保冷容器１を載置するパレット１００を用意する。
【００４７】
次いで、図２３に示すように、パレット１００上に底面パネル３０Ａを配置する。このとき、底面パネル３０の下面３０ｂに形成された窪み部３５に、パレット１００を嵌める。
その底面パネル３０Ａの隣接する二つの端縁の凹凸部３１のそれぞれに、単位パネル１０Ｂの嵌合部１３を嵌合させて、底面パネル３０Ａの内面３０ａ側において、底面パネル３０Ａの隣接する二つの端縁に、単位パネル１０Ｂ，１０Ｂを立設する。このとき、一方の単位パネル１０Ｂの嵌合部１８と他方の単位パネル１０Ｂの嵌合部１９とを嵌合させる。
【００４８】
底面パネル３０Ａ上に立設した二つの単位パネル１０Ｂの嵌合部１２のそれぞれに、単位パネル１０Ａの嵌合部１３を嵌合させて、単位パネル１０Ａと単位パネル１０Ｂを接合する。このとき、一方の単位パネル１０Ａの嵌合部１８と他方の単位パネル１０Ａの嵌合部１９を嵌合させる。これにより、底面パネル３０Ａの内面３０ａ上に、単位パネル１０Ａと単位パネル１０Ｂからなる、二つの側面パネル１０を立設する。
【００４９】
図２４に示すように、底面パネル３０Ａの外側から、底面パネル３０Ａの内面３０ａおよび側面パネル１０の内面１０ａを経て、側面パネル１０の外側まで延在するように、保温シート７０を配置する。
【００５０】
保温シート７０は、発泡樹脂シートの少なくとも一方の面に金属層を有するものである。具体的には、保温シート７０は、発泡樹脂シートと、その一方の面にアルミニウムを蒸着してなるアルミニウム層とを有するアルミ蒸着発泡シートである。
保温シート７０は、側面パネル１０の内面１０ａと底面パネル３０Ａの内面３０ａとは反対側に、アルミニウムを蒸着した面７０ａが現れるように配置される。すなわち、発泡樹脂シート側の面７０ｂが、側面パネル１０の内面１０ａと底面パネル３０Ａの内面３０ａとに対向するように、保温シート７０が配置される。
【００５１】
図２５に示すように、底面パネル３０Ａの内面３０ａ上に配置した保温シート７０上に、複数の内容物２００を積載する。
ここでは、側面パネル１０の内面１０ａに沿って配置された保温シート７０に近接するように、内容物２００を配置する。また、図２５に示すように、同一面上にある四つの内容物２００の一部が互いに接触しない空間が、四つの内容物２００からなる直方体の中央部に形成されるように、内容物２００を配置する。これにより、内容物２００の積載方向に沿って、内容物２００からなる直方体の中央部に空洞３００を形成する。
【００５２】
次いで、図２６に示すように、上述のように、さらに、底面パネル３０Ａ上に側面パネル１０を立設する。
【００５３】
図２６に示すように、側面パネル１０の内面１０ａに形成された保持溝２４に、冷媒受け５０の周縁を嵌め、水平方向にスライドさせて冷媒受け５０を側面パネル１０に支持させる。これにより、冷媒受け５０の第１空間５２が空洞３００上に配置され、冷媒受け５０の第２空間５３が内容物２００上に配置される。
【００５４】
図２７に示すように、冷媒受け５０の第１空間５２（区画壁部５４内）に、ドライアイス４００を配置する。
【００５５】
次いで、図２８に示すように、冷媒受け５０の第１空間５２に配置されたドライアイス４００上、および、冷媒受け５０の第２空間５３に氷４１０を配置する。
【００５６】
図２９に示すように、底面パネル３０Ａ上に積載した内容物２００、並びに、内容物２００上に冷媒受け５０を介して配置したドライアイス４００および氷４１０を、それらの上下方向に保温シート７０で覆う。すなわち、ドライアイス４００および氷４１０は、アルミニウムで覆われて、遮熱効果が得られ、さらにその外側に発泡樹脂シートによる断熱効果を得られることにより保冷効果を高め、冷媒を長時間もたせることができる。
【００５７】
次いで、図３０に示すように、上述のように、さらに、底面パネル３０Ａ上に側面パネル１０を立設する。これにより、底面パネル３０Ａ上に積載した内容物２００の側面の全てを側面パネル１０で囲む。
【００５８】
図３０に示すように、上述のように、側面パネル１０の嵌合部１２に、天井パネル３０Ｂの凹凸部３１を嵌合させて、保冷容器１を形成する。これにより、底面パネル３０Ａ上に積載した内容物２００が、保冷容器１内に収容される。
さらに、内容物２００を収容した保冷容器１の外周を、締結バンド５００，５００で締め付けることにより、より強固に側面パネル１０と、底面パネル３０Ａおよび天井パネル３０Ｂとが接合し、保冷容器１内の冷気が外に漏れることを防止することができる。その結果、保冷容器１による内容物２００の保冷状態を保つことができる。
【００５９】
締結バンド５００としては、特に制限されないが、例えば、ポリプロピレン（ＰＰ）製のバンドが用いられる。
【００６０】
本実施形態の保冷容器１によれば、互いに組み付けられる底面パネル３０Ａ、側面パネル１０および天井パネル３０Ｂを有する組み立て式の容器であって、側面パネル１０の内面１０ａに、上方の冷気を下方に送り込む複数の通気溝（通気路）１１が形成されているため、保冷容器１内に収容された内容物２００上に配置されたドライアイス４００や氷４１０の冷気を、保冷容器１内に拡散させることができる。その結果、保冷容器１による内容物２００の保冷状態を保つことができる。また、内容物２００に凍結障害が生じることを防止できる。
【００６１】
本実施形態の保冷容器１によれば、側面パネル１０を、上下方向に二つの単位パネル１０Ａ，１０Ｂに分割することができるため、収容する内容物２００の大きさに応じて、保冷容器１の高さを調整することができる。
【００６２】
本実施形態の保冷容器１によれば、保冷容器１内に収容される内容物２００を上下方向に覆う保温シート７０を備えるため、ドライアイス４００や氷４１０による保冷効果を高めることができる。
【００６３】
＜他の実施形態＞
なお、本発明は、上記の実施形態に限定するものではない。
【００６４】
例えば、図３１および図３２に示すような変形例に係る保冷容器の各構成を採用してもよい。
【００６５】
図３１および図３２に示す変形例に係る保冷容器６００は、容器本体６１０と、容器本体６１０の内面６１０ａから容器本体６１０の内側に突出する複数の突起６２０と、突起６２０上に載置されて、容器本体６１０内に配置される冷媒受け５０と、を有する。
容器本体６１０は、ポリエチレン、ポリスチレン、ポリエチレンテレフタレート等のからなる発泡体からなり、上部が開口した立方体状または直方体状の容器である。
【００６６】
本変形例の保冷容器６００では、容器本体６１０内に上記に内容物２００等を収容し、その内容物２００上に、冷媒受け５０を介して、上記のドライアイス４００および氷４１０を配置することにより、ドライアイス４００や氷４１０の冷気を、保冷容器６００内に拡散させることができる。その結果、保冷容器６００による内容物２００の保冷状態を保つことができる。なお、保冷容器６００内に、ドライアイス４００や氷４１０とともに内容物２００を収容した場合には、上記の天井パネル３０Ｂと同様の構成のパネルにて、容器本体６１０の開口部に蓋をする。
【００６７】
以下、図１から図３２を援用し、図３３から図４０を参照して、本発明に係る保冷容器および冷媒受けのさらなる実施形態を説明する。
【００６８】
本実施形態の保冷容器１および冷媒受け８０は、前述の実施形態で説明した保冷容器１と同様に集合包装に用いられる。ここで、集合包装とは、複数の個別の包装を集合させて一つにまとめて包装することを意味する。すなわち、保冷容器１は、図２５に示すように、個別に包装されて集積された複数の内容物２００を収容する集合包装用保冷容器である。個別の包装である内容物２００は、特に限定はされないが、たとえば、食肉や鮮魚など、凍結寸前の低温に維持して輸送するチルド輸送が必要な物品が収容された段ボール箱である。
【００６９】
本実施形態の保冷容器１は、いくつかの点を除いて、前述の保冷容器１と同様の構成を備えている。そのため、本実施形態の保冷容器１において、前述の実施形態の保冷容器１と同様の部分には、同一の符号を付して説明を省略する場合がある。一方、本実施形態の冷媒受け８０は、前述の実施形態で説明した冷媒受け５０とは異なる構成を備えている。以下では、主に、本実施形態の保冷容器１の前述の実施形態とは異なる部分と、本実施形態の冷媒受け８０の構成とを説明するが、前述の実施形態の保冷容器１についても説明を補足する場合がある。
【００７０】
図３３は、本実施形態の冷媒受け８０の斜視図である。冷媒受け８０は、前述の冷媒受け５０と同様に、上面に冷媒Ｃを支持して保冷容器１の内部で内容物２００の上部に配置される発泡樹脂製の板状の部材である。具体的には、冷媒受け８０は、矩形板状の部材である。図３３に示す例において、冷媒受け８０の平面形状はおおむね正方形であるが、長方形などの他の形状であってもよい。
【００７１】
冷媒受け８０は、たとえば、上面の中央部と周縁部との間に凹状に設けられた冷媒支持部８１を有している。冷媒支持部８１は、冷媒を支持するための部分である。図３３に示す例において、冷媒受け８０は、中央部と周縁部との間に延びる梁部８２によって区画された複数の冷媒支持部８１を有している。より具体的には、梁部８２は、たとえば、冷媒受け８０の中央部で直交する十字状に設けられ、冷媒受け８０の中央部と周縁部との間に四つの冷媒支持部８１を画定している。すなわち、冷媒支持部８１は、たとえば、冷媒受け８０の中央部と、冷媒受け８０の周縁部と、梁部８２とによって、冷媒受け８０の上面に区画された凹部である。
【００７２】
冷媒受け８０の中央部は、たとえば、冷媒受け８０の外形に対応する矩形または正方形の形状を有している。冷媒受け８０の中央部は、たとえば、その中央に肉抜き用の矩形の凹部を有している。また、冷媒受け８０の中央部は、たとえば、中央の肉抜き用の凹部の四つの角に隣接して、より浅い四つの矩形の肉抜き用の凹部が設けられている。冷媒受け８０の中央部は、たとえば、この四つの浅い矩形の肉抜き用の凹部の外側を縁取るＬ字状の部分の外縁によって画定される矩形の部分である。
【００７３】
冷媒受け８０の周縁部は、たとえば、冷媒受け８０の外形に対応する矩形または正方形の枠状または額縁状の形状を有している。冷媒受け８０の周縁部の上端面は、凹状の冷媒支持部８１よりも上方に設けられている。これにより、冷媒受け８０の周縁部と冷媒支持部８１との間には段差が設けられている。換言すると、冷媒受け８０の周縁部は、冷媒支持部８１よりも上方に突出するように設けられ、冷媒受け８０の外縁側に冷媒支持部８１の鉛直方向に沿う壁面を画定している。冷媒受け８０の周縁部における外縁部は、たとえば、テーパ状に設けられている。より詳細には、冷媒受け８０の周縁部は、たとえば、冷媒受け８０の上面の周縁部に傾斜面を有している。この傾斜面は、たとえば、冷媒受け８０の中央側から外縁に近づくにつれて、冷媒受け８０の下面へ近づくように傾斜している。
【００７４】
冷媒受け８０の周縁部は、たとえば、複数の切欠き部８３と、複数の連通溝８４と、四つの角部８５と、を有している。切欠き部８３は、たとえば、冷媒受け８０の周縁部の外縁が中央部に向けて内側に切り欠かれた部分である。切欠き部８３は、たとえば、平面視でおおむね矩形溝状の形状を有し、冷媒受け８０をその厚さ方向、すなわち保冷容器１の内部に配置されたときの上下方向に貫通している。切欠き部８３は、冷媒受け８０が保冷容器１の内部に配置されたときに、保冷容器１の側面パネル１０との間に、冷媒によって冷却された空気すなわち冷気の流路を画定する。
【００７５】
複数の切欠き部８３は、たとえば、冷媒受け８０の矩形の外縁の各辺に沿って、互いに間隔をあけて設けられている。より詳細には、たとえば、冷媒受け８０の各辺の複数の切欠き部８３のうち、両端部に配置されて角部８５に隣接する一対の切欠き部８３は、その内側に配置された切欠き部８３よりも、冷媒受け８０の外縁に沿う方向の幅が狭くなっている。換言すると、冷媒受け８０の各辺の両端部に設けられた一対の切欠き部８３の幅よりも、冷媒受け８０の各辺の中間部に設けられた切欠き部８３の幅が広くなっている。
【００７６】
また、冷媒受け８０の各辺の中間部に設けられた切欠き部８３は、たとえば、拡張部８３ａを有している。拡張部８３ａは、たとえば、冷媒受け８０の平面視で、切欠き部８３の外側に設けられ、切欠き部８３の開口部の幅を拡張させている。すなわち、冷媒受け８０の矩形の外縁の各辺に沿う方向において、拡張部８３ａの幅は、切欠き部８３の幅よりも広くなっている。拡張部８３ａは、たとえば、凹曲面状または部分円筒状の壁面を有し、冷媒受け８０の平面視で内側から外側に向けて幅が漸次拡大している。
【００７７】
複数の連通溝８４は、たとえば、冷媒受け８０の周縁部において、冷媒受け８０の上面に凹状に設けられた溝である。連通溝８４は、たとえば、冷媒受け８０の周縁部を横断するように冷媒受け８０の内側から外側へ向けて延び、冷媒支持部８１と切欠き部８３とを連通している。連通溝８４は、たとえば、横断面における断面形状がおおむね矩形で上端が開放されている。連通溝８４は、その内部を、冷媒支持部８１に配置された冷媒によって冷却された空気、すなわち冷気が流れる流路を画定する。
【００７８】
四つの角部８５は、冷媒受け８０の周縁部の上面から下面側へ向けて段差状に設けられている。各角部８５の上面は、たとえば、冷媒受け８０の周縁部の上面と平行であり、各角部８５の両側に隣接する傾斜面の間に配置され、これらの傾斜面よりも冷媒受け８０の厚さ方向における冷媒受け８０の下面側に設けられている。各角部８５の外周面は、たとえば、凸曲面状または部分円筒面状に設けられ、冷媒受け８０の平面視で各角部８５の両側の周縁部の外周面よりも内側に設けられている。各角部８５の下面は、たとえば、冷媒受け８０の下面と段差なく平坦に連続している。
【００７９】
梁部８２は、たとえば、冷媒受け８０の中央部から周縁部へ放射状に延びている。図３３に示す例において、梁部８２の上面と、冷媒受け８０の中央部の肉抜き用の凹部を除く部分の上面と、冷媒受け８０の周縁部の切欠き部８３、連通溝８４および角部８５を除く部分の上面とは、冷媒受け８０の厚さ方向の段差がなく平坦である。すなわち、冷媒受け８０において、梁部８２の厚さと、中央部の肉抜き用の凹部を除く部分の厚さと、周縁部の切欠き部８３、連通溝８４および角部８５を除く部分の厚さとが、最も厚くなっている。
【００８０】
梁部８２は、たとえば、冷媒受け８０の中央において交差する縦方向と横方向の直交する二方向に延びている。これら二方向に延びる十字状の梁部８２のうち、一方向に延びる梁部８２は、その中央部に肉抜き用の凹部を有している。この一方向は、後述するように、冷媒受け８０を二つの部品８０ａに分解する冷媒受け８０の分解方向Ｄｂであり、その二つの部品８０ａを組み合わせて冷媒受け８０を組み立てる組立方向Ｄａである。梁部８２の肉抜き用の凹部は、その梁部８２とともにその一方向に延びる溝状に形成されている。
【００８１】
図３４は、図３３に示す冷媒受け８０を構成する部品８０ａの斜視図である。図３５は、図３４に示す部品８０ａを下方から見た斜視図である。前述のように、冷媒受け８０は、たとえば、平面視でおおむね長方形の二つの部品８０ａによって構成されている。すなわち、冷媒受け８０の使用時には、二つの部品８０ａを組み立てて冷媒受け８０を形成することができ、冷媒受け８０の不使用時には、冷媒受け８０を二つの部品８０ａに分解することができる。
【００８２】
互いに組み合わされる二つの部品８０ａは同一の部品８０ａである。すなわち、互いに組み合わされる二つの部品８０ａの寸法、形状および材質は同一である。これら二つの部品８０ａを、互いに１８０度反転させた状態で対向させて組み合わせることで、図３３に示す冷媒受け８０を組み立てることができる。すなわち、冷媒受け８０は、上記分解方向Ｄｂおよび組立方向Ｄａにおいて、組み合わせ可能な二つの同一形状の部品８０ａに分割されている。これら二つの部品８０ａは、互いに対向して組み合される端縁に嵌合部８６を有している。
【００８３】
部品８０ａの嵌合部８６は、たとえば、複数の凸部８６ａ，８６ｂと、複数の凹部８６ｃ，８６ｄと、を備えている。より具体的には、嵌合部８６は、たとえば、四つの凸部８６ａと、一つの凸部８６ｂと、四つの凹部８６ｃと、一つの凹部８６ｄと、を備えている。本実施形態では、長方形の部品８０ａの短手方向に平行で、二つの部品８０ａの互いに対向する嵌合部８６を接近させて嵌合させる方向を、組立方向Ｄａとする。また、長方形の部品８０ａの短手方向に平行で、二つの部品８０ａの互いの嵌合部８６の嵌合を解除して二つの部品８０ａを分離させる方向を、分解方向Ｄｂとする。
【００８４】
凸部８６ａは、たとえば、平面視でおおむね矩形の形状を有し、組立方向Ｄａに向けて突出している。凹部８６ｃは、たとえば、平面視で凸部８６ａに対応するおおむね矩形の形状を有し、分解方向Ｄｂに凹状に設けられている。凸部８６ａおよび凹部８６ｃは、たとえば、二つの部品８０ａの嵌合部８６を互いに対向させたときに、一方の部品８０ａの凸部８６ａと、他方の部品８０ａの凹部８６ｃとが向かい合う位置に設けられている。これにより、二つの部品８０ａの嵌合部８６を互いに対向させて組立方向Ｄａに接近させたときに、一方の部品８０ａの凸部８６ａが、他方の部品８０ａの凹部８６ｃに対して、組立方向Ｄａに挿入されて嵌合するようになっている。
【００８５】
凸部８６ｂは、たとえば、平面視で先端側を上底とする台形の形状を有し、組立方向Ｄａに向けて突出している。台形の凸部８６ｂの一方の脚に相当する側縁は、たとえば組立方向Ｄａに対しておおむね平行であり、台形の凸部８６ｂの他方の脚に相当する側縁は、たとえば組立方向Ｄａに対しておおむね４５度の角度で傾斜している。凹部８６ｄは、たとえば、平面視で凸部８６ｂに対応する台形の形状を有し、分解方向Ｄｂに凹状に設けられている。凸部８６ｂおよび凹部８６ｄの大部分は、たとえば、深い凹部が設けられた冷媒受け８０の中央部の薄肉部によって形成されている。
【００８６】
凸部８６ｂおよび凹部８６ｄは、たとえば、二つの部品８０ａの嵌合部８６を互いに対向させたときに、一方の部品８０ａの凸部８６ｂと、他方の部品８０ａの凹部８６ｄとが向かい合う位置に設けられている。これにより、二つの部品８０ａの嵌合部８６を互いに対向させて組立方向Ｄａに接近させたときに、一方の部品８０ａの凸部８６ｂが、他方の部品８０ａの凹部８６ｄに対して、組立方向Ｄａに挿入されて嵌合するようになっている。
【００８７】
すなわち、冷媒受け８０は、平面視で冷媒受け８０の中心に点対称な切断曲線によって、同一形状の二つの部品８０ａに分割されている。また、図３５に示すように、部品８０ａの下面には、複数の肉抜き用の凹部が設けられている。これら肉抜き用の凹部の形状は特に限定されないが、嵌合部８６に隣接する凹部の形状は、たとえば五角形であり、部品８０ａの短辺に隣接する凹部の形状は、たとえば台形であり、他の凹部の形状は、たとえば六角形である。
【００８８】
図３３および図３４に示すように、一つの部品８０ａは、たとえば、組立方向Ｄａおよび分解方向Ｄｂに直交する部品８０ａの長手方向に並んだ二つの冷媒支持部８１を有している。これにより、図３３に示すように、二つの部品８０ａを組み合わせた冷媒受け８０は、たとえば前述のように、四つの冷媒支持部８１を有している。以下、冷媒支持部８１の構成について、詳細に説明する。
【００８９】
冷媒支持部８１は、前述のように、保冷容器１の内部を保冷するための冷媒Ｃを支持するための部分である。冷媒支持部８１に配置する冷媒Ｃとしては、たとえば、ドライアイスを用いることができる。なお、冷媒支持部８１に配置される冷媒Ｃは、ドライアイスに限定されず、容器に収容された氷や蓄冷材であってもよい。
【００９０】
冷媒支持部８１は、たとえば、図３３に示す冷媒受け８０の平面視において、冷媒受け８０の矩形の中央部、矩形枠状の周縁部、および十字型の梁部８２によって、冷媒受け８０の上面に区画された、おおむねＬ字型の凹部である。Ｌ字型の冷媒支持部８１は、たとえば、冷媒受け８０の四隅に中央部の外縁および周縁部の内縁に沿って設けられている。冷媒支持部８１は、たとえば、図３４に示すように、冷媒Ｃを支持する傾斜支持面８１ａ，８１ｂと、冷気が流れる冷気溝８１ｄ，８１ｅと、複数の貫通孔８１ｇと、を有している。
【００９１】
傾斜支持面８１ａ，８１ｂは、たとえば、第１の傾斜支持面８１ａと、第２の傾斜支持面８１ｂとを含んでいる。また、冷気溝８１ｄ，８１ｅは、たとえば、第１の冷気溝８１ｄと第２の冷気溝８１ｅとを含んでいる。第１の傾斜支持面８１ａと第２の傾斜支持面８１ｂには、それぞれ、第１の冷気溝８１ｄと第２の冷気溝８１ｅと貫通孔８１ｇとが設けられている。
【００９２】
第１の傾斜支持面８１ａは、たとえば、平面視で長方形の部品８０ａの短手方向に平行である。また、第１の傾斜支持面８１ａは、たとえば、平面視で長方形の部品８０ａの長手方向において、冷媒受け８０の中央部から周縁部へ近づくほど、冷媒受け８０の下面に近づくように、下方へ傾斜している。
【００９３】
第２の傾斜支持面８１ｂは、たとえば、平面視で長方形の部品８０ａの長手方向に平行である。また、第１の傾斜支持面８１ａは、たとえば、平面視で長方形の部品８０ａの短手方向において、冷媒受け８０の中央部から周縁部へ近づくほど、冷媒受け８０の下面に近づくように、下方へ傾斜している。
【００９４】
第１の傾斜支持面８１ａと第２の傾斜支持面８１ｂとの間には、矩形の冷媒受け８０の対角線に沿って、稜線８１ｃが形成されている。稜線８１ｃは、第１の傾斜支持面８１ａと第２の傾斜支持面８１ｂとの間の交線である。稜線８１ｃは、冷媒受け８０の矩形の中央部の角から角部８５へ向けて貫通孔８１ｇまで、第１の冷気溝８１ｄを跨いで直線状に延びている。
【００９５】
第１の傾斜支持面８１ａに設けられた第１の冷気溝８１ｄは、平面視で長方形の部品８０ａの長手方向において、冷媒受け８０の中央部と周縁部との間で、貫通孔８１ｇよりも中央部側に設けられている。第１の傾斜支持面８１ａの第１の冷気溝８１ｄは、平面視で長方形の部品８０ａの短手方向において、梁部８２から稜線８１ｃまで延びている。なお、第１の冷気溝８１ｄの底面は、冷媒受け８０の下面と平行であってもよいが、第１の傾斜支持面８１ａと同様に傾斜していてもよい。
【００９６】
第１の傾斜支持面８１ａに設けられた第２の冷気溝８１ｅは、平面視で長方形の部品８０ａの長手方向において、第１の冷気溝８１ｄから冷媒受け８０の周縁部の拡張部８３ａを有する切欠き部８３まで延びている。なお、第１の傾斜支持面８１ａの第２の冷気溝８１ｅの底面は、冷媒受け８０の下面と平行であってもよいが、第１の傾斜支持面８１ａと同様に傾斜していてもよい。
【００９７】
第２の傾斜支持面８１ｂに設けられた第１の冷気溝８１ｄは、平面視で長方形の部品８０ａの短手方向において、冷媒受け８０の中央部と周縁部との間で、貫通孔８１ｇよりも中央部側に設けられている。第２の傾斜支持面８１ｂの第１の冷気溝８１ｄは、平面視で長方形の部品８０ａの長手方向において、梁部８２から稜線８１ｃまで延びている。なお、第２の傾斜支持面８１ｂの第１の冷気溝８１ｄの底面は、冷媒受け８０の下面と平行であってもよいが、第２の傾斜支持面８１ｂと同様に傾斜していてもよい。
【００９８】
第２の傾斜支持面８１ｂに設けられた第２の冷気溝８１ｅは、平面視で長方形の部品８０ａの短手方向において、第１の冷気溝８１ｄから冷媒受け８０の周縁部の拡張部８３ａを有する切欠き部８３まで延びている。なお、第２の傾斜支持面８１ｂの第２の冷気溝８１ｅの底面は、冷媒受け８０の下面と平行であってもよいが、第２の傾斜支持面８１ｂと同様に傾斜していてもよい。
【００９９】
なお、傾斜支持面８１ａ，８１ｂは、たとえば、発泡樹脂製の冷媒受け８０の表面を覆う被覆材の表面であってもよい。この場合、冷媒支持部８１は、全体が被覆材によって覆われていてもよく、傾斜支持面８１ａ，８１ｂに対応する部分のみが被覆材によって覆われていてもよい。被覆材としては、たとえば、被覆材によって覆われる部分の形状に合わせて成形した非発泡樹脂シートを用いることができる。被覆材の表面は、冷媒受け８０を構成する発泡樹脂の表面よりも平滑である。より具体的には、被覆材としては、たとえば、厚さが０．１ｍｍ程度のポリエチレンシートを用いることができる。また、被覆材として、たとえば、硬化性の樹脂を、冷媒支持部８１の傾斜支持面８１ａ，８１ｂに対応する部分に塗布してもよい。
【０１００】
貫通孔８１ｇは、たとえば、平面視で矩形の形状を有し、冷媒受け８０の矩形枠状の周縁部の内縁に沿って設けられている。より具体的には、冷媒支持部８１は、冷媒受け８０の矩形枠状の周縁部の角部の内側に貫通孔８１ｇを有している。また、冷媒支持部８１は、冷媒受け８０の周縁部と部品８０ａの長手方向に延びる梁部８２との間の角部の内側に、貫通孔８１ｇを有している。さらに、冷媒支持部８１は、冷媒受け８０の周縁部と部品８０ａの短手方向に延びる梁部８２との間の角部の内側に貫通孔８１ｇを有している。梁部８２に隣接する貫通孔８１ｇは、梁部８２の一部を切り欠くように設けられている。
【０１０１】
図３６は、本実施形態の保冷容器１の底面パネル３０Ａの斜視図である。図３７は、図３６に示す底面パネル３０Ａを構成する部品３０Ａ１の斜視図である。図３８は、図３７に示す部品３０Ａ１を下方から見た斜視図である。
【０１０２】
本実施形態の保冷容器１の底面パネル３０Ａは、主に以下の点において、前述の実施形態の保冷容器１の底面パネル３０Ａと異なっている。第１に、底面パネル３０Ａが、二つの部品３０Ａ１によって分解可能に設けられている点である。第２に、底面パネル３０Ａが網目状の溝３４を備える点である。第３に、底面パネル３０Ａが、締結バンド５００を通す貫通孔を形成するための仮穴３８を有する点である。本実施形態の保冷容器１の底面パネル３０Ａのその他の点は、前述の実施形態の保冷容器１の底面パネル３０Ａと同様であるので、同様の部分には同一の符号を付して説明を適宜省略する。
【０１０３】
本実施形態の保冷容器１において、底面パネル３０Ａは、冷媒受け８０と同様に、平面視でおおむね長方形の二つの部品３０Ａ１によって構成されている。すなわち、保冷容器１の使用時には、二つの部品３０Ａ１を組み立てて底面パネル３０Ａを形成することができ、保冷容器１の不使用時には、底面パネル３０Ａを二つの部品３０Ａ１に分解することができる。
【０１０４】
互いに組み合わされる二つの部品３０Ａ１は同一の部品３０Ａ１である。すなわち、互いに組み合わされる二つの部品３０Ａ１の寸法、形状および材質は同一である。これら二つの部品３０Ａ１を、互いに１８０度反転させた状態で対向させて組み合わせることで、図３６に示す底面パネル３０Ａを組み立てることができる。すなわち、底面パネル３０Ａは、分解方向Ｄｂおよび組立方向Ｄａにおいて、組み合わせ可能な二つの同一形状の部品３０Ａ１に分割されている。これら二つの部品３０Ａ１は、互いに対向して組み合される端縁に嵌合部３９を有している。
【０１０５】
部品３０Ａ１の嵌合部３９は、突片部３９ａと、受部３９ｂとを備えている。ここで、図３６に示す組み立てた状態の底面パネル３０Ａを二つの部品３０Ａ１に分解するときに各部品３０Ａ１を分離させる方向を分解方向Ｄｂとする。また、二つの部品３０Ａ１の嵌合部３９を対向させて底面パネル３０Ａを組み立てるときに、各部品３０Ａ１を嵌合させる方向を組立方向Ｄａとする。
【０１０６】
突片部３９ａは、受部３９ｂよりも組立方向Ｄａに突出させて設けられた板状の部分である。突片部３９ａは、たとえば、底面パネル３０Ａの平面視でおおむね台形の形状を有し、底面パネル３０Ａの外縁側の台形の脚が組立方向Ｄａとおおむね平行である。突片部３９ａは、図３８に示すように、底面パネル３０Ａの下面３０ｂに凹状の段差を有している。この突片部３９ａの段差面には、たとえば、ガイド用凸部３９ｃが設けられている。
【０１０７】
ガイド用凸部３９ｃは、たとえば、丸められた頂点を組立方向Ｄａに向けたおおむね二等辺三角形の形状を有している。たとえば、底面パネル３０Ａの下面３０ｂに平行で組立方向Ｄａに直交する方向において、複数のガイド用凸部３９ｃが等間隔に並んでいる。底面パネル３０Ａの厚さ方向において、ガイド用凸部３９ｃの頂面は、底面パネル３０Ａの下面３０ｂの窪み部３５の底面よりも、底面パネル３０Ａの上面である内面３０ａ側に位置している。すなわち、窪み部３５の底面と、ガイド用凸部３９ｃの頂面との間には、凹状の段差が設けられている。
【０１０８】
受部３９ｂは、突片部３９ａを受け入れて嵌合させる凹状の部分である。具体的には、図３７に示すように、受部３９ｂは、底面パネル３０Ａの上面である内面３０ａに、突片部３９ａに対応する凹状に設けられている。より詳細には、受部３９ｂは、たとえば、底面パネル３０Ａの平面視で、突片部３９ａの形状を１８０度の角度で反転させたおおむね台形の形状を有し、底面パネル３０Ａの外縁側の台形の脚が組立方向Ｄａとおおむね平行である。
【０１０９】
受部３９ｂは、たとえば、ガイド用凸部３９ｃを受け入れて嵌合させるガイド用凹部３９ｄを有している。具体的には、図３７に示すように、ガイド用凹部３９ｄは、底面パネル３０Ａの上面である内面３０ａに凹状に設けられた受部３９ｂの段差面に凹状に設けられている。より詳細には、ガイド用凹部３９ｄは、たとえば、底面パネル３０Ａの平面視で、ガイド用凸部３９ｃの形状を１８０度の角度で反転させたおおむね二等辺三角形の形状を有している。
【０１１０】
本実施形態の底面パネル３０Ａは、前述のように、上面である内面３０ａに、網目状の溝３４を有している。より具体的には、溝３４は、底面パネル３０Ａの内面３０ａにおおむね六角形の複数の島状部を千鳥状に残すように規則的に形成されている。なお、底面パネル３０Ａの内面３０ａにおいて一部の島状部の形状を残りの島状部の形状と異ならせることで、組立時の目印としてもよい。
【０１１１】
図３８に示すように、部品３０Ａ１は、底面パネル３０Ａが組立方向Ｄａにおいて二分割されることで、おおむね長方形の平面形状を有している。部品３０Ａ１は、たとえば、下面３０ｂの窪み部３５の外縁に沿って、複数の仮穴３８を有している。仮穴３８は、部品３０Ａ１の下面３０ｂに開口しているが、部品３０Ａ１を貫通せず、底面パネル３０Ａの上面である内面３０ａとの間に底壁を有している。仮穴３８は、たとえば、窪み部３５の外縁に沿って延びるスリット状の形状に設けられている。
【０１１２】
この仮穴３８の形状は、内容物２００を固縛する締結バンド５００の断面形状に対応しており、締結バンド５００を挿入することができる形状になっている。また、仮穴３８の底壁は、仮穴３８に締結バンド５００の先端を挿入して押し込んだときに破断して、締結バンド５００を貫通させることができる厚さに設定されている。
【０１１３】
図３８に示すように、仮穴３８は、平面視がおおむね長方形の部品３０Ａ１の長手方向において、たとえば、窪み部３５の外縁の中間部に間隔をあけて二つ設けられている。また、仮穴３８は、平面視がおおむね長方形の部品３０Ａ１の短手方向において、たとえば、窪み部３５の外縁の中間部に一つ設けられている。すなわち、二つの部品３０Ａ１によって構成される底面パネル３０Ａは、下面３０ｂの窪み部３５の外縁の各辺の中間部に、仮穴３８を二つずつ有している。これらの仮穴３８の位置は、たとえば、図２２に示すパレット１００において、締結バンド５００を通す位置に対応している。
【０１１４】
以下、本実施形態の保冷容器１および冷媒受け８０の作用について説明する。
【０１１５】
図３９は、本実施形態の保冷容器１による集合包装の一例を示す斜視図である。本実施形態の保冷容器１は、たとえば、前述の実施形態の保冷容器１と同様に、図２２に示すパレット１００の上に底面パネル３０Ａが配置される。このとき、あらかじめパレット１００の所定の位置に締結バンド５００を通し、締結バンド５００の先端を底面パネル３０Ａの仮穴３８に挿入する。これにより、締結バンド５００が仮穴３８の底壁を貫通して、パレット１００の所定の位置に通された締結バンド５００が底面パネル３０Ａを貫通した状態になる。
【０１１６】
次に、図２３に示すように底面パネル３０Ａに側面パネル１０が取り付けられる。ここでは、底面パネル３０Ａを貫通した締結バンド５００の図示を省略する。さらに、図２４に示す前述の実施形態の保冷容器１と同様に、保温シート７０が配置される。ここで、保温シート７０は、内容物２００の保冷を目的として配置される。そのため、以下では、前述の実施形態で説明した保温シート７０を、「保冷シート７０」と呼ぶこととする。図２４に示す状態では、たとえば、保冷シート７０に締結バンド５００を通す貫通孔が設けられ、底面パネル３０Ａを貫通した締結バンド５００が保冷シート７０の貫通孔に通されていてもよい。
【０１１７】
次に、図２５に示す前述の実施形態の保冷容器１と同様に、底面パネル３０Ａの内面３０ａ上に配置した保冷シート７０の上に、複数の内容物２００を積載する。ここで、内容物２００は、たとえば、段ボール箱に収容された食肉や鮮魚などの生鮮食品であり、それらを凍結させない範囲で、できるだけ低温にするように予冷されている。ここでも、底面パネル３０Ａを貫通した締結バンド５００の図示は省略する。
【０１１８】
次に、図３９に示すように、底面パネル３０Ａの上に集積された内容物２００を、締結バンド５００によって固縛して固定する。次に、図３３に示すように、二つの部品８０ａからなる冷媒受け８０を組み立てる。次に、図２６に示す冷媒受け５０と同様に、本実施形態の冷媒受け８０を側面パネル１０に支持させる。なお、冷媒受け８０は、たとえば、底面パネル３０Ａの上に集積された内容物２００の上に載せることで、保冷容器１の上部に配置してもよい。また、冷媒受け８０は、保冷容器１の底面パネル３０Ａの上に立てた支柱によって支持することで、保冷容器１の上部に配置してもよい。次に、図３３に示すように、冷媒受け８０の冷媒支持部８１に冷媒Ｃを配置する。
【０１１９】
より詳細には、冷媒支持部８１の第１の傾斜支持面８１ａに、第１の冷気溝８１ｄ、第２の冷気溝８１ｅ、および角部８５と反対側の貫通孔８１ｇを覆うように、冷媒Ｃを配置する。この第１の傾斜支持面８１ａに配置される冷媒Ｃは、たとえば、矩形板状のドライアイスである。また、冷媒支持部８１の第２の傾斜支持面８１ｂに、第１の冷気溝８１ｄ、第２の冷気溝８１ｅ、および角部８５と反対側の貫通孔８１ｇを覆うように、冷媒Ｃを配置する。この第２の傾斜支持面８１ｂに配置される冷媒Ｃは、たとえば、第１の傾斜支持面８１ａに配置されるドライアイスよりも大きい矩形板状のドライアイスである。
【０１２０】
このようにして、冷媒受け８０の複数の冷媒支持部８１のすべてに冷媒Ｃを配置する。なお、冷媒Ｃは、たとえば、冷媒受け８０の中央部や梁部８２の上に配置してもよい。冷媒受け８０の中央部や梁部８２の上に配置する冷媒Ｃは、たとえば、ドライアイスでも氷でもよい。
【０１２１】
次に、図２９に示すように、前述の実施形態の保冷容器１と同様に、底面パネル３０Ａの上に集積した複数の内容物２００と、その上に配置されて冷媒Ｃを支持する冷媒受け８０とを、保冷シート７０によって覆う。次に、図３０に示すように、前述の実施形態の保冷容器１と同様に、側面パネル１０の上端に天井パネル３０Ｂを取り付けて、本実施形態の保冷容器１の組み立てを完了する。なお、本実施形態の保冷容器１において、保冷容器１の外側の締結バンド５００は、省略することも可能である。
【０１２２】
このように、本実施形態の保冷容器１は、たとえばチルド輸送が必要な物品が収容された段ボール箱である内容物２００の集合包装に用いられる。このような保冷容器１では、たとえば、次のような課題がある。
【０１２３】
前述のように、チルド輸送においては、内容物２００が予冷されて保冷容器１の内部に集積されている。この場合、集積された複数の内容物２００は、保冷容器１の側面パネル１０に近い外側の部分の温度が外気温の影響を受けて上昇しやすい反面、側面パネル１０から離れた部分の温度は外気温の影響を受けにくく上昇しにくい。また、冷媒Ｃに近い内容物２００は、冷媒Ｃの冷気によって過剰に冷却されて内部の生鮮食品が凍結しやすい。このように、保冷容器１は、内部に集積された複数の内容物２００の温度が不均一になりやすいという課題がある。
【０１２４】
ここで、図３３に示す本実施形態の冷媒受け８０は、図２７に示す前述の実施形態の冷媒受け５０と同様に、保冷容器１の側面パネル１０に支持されて保冷容器１の上部に配置される。本実施形態の冷媒受け８０は、その中央部と周縁部との間に設けられた凹状の冷媒支持部８１を備えている。
【０１２５】
この構成により、冷媒受け８０の中央部と周縁部との間の凹状の冷媒支持部８１に冷媒Ｃを保持することができる。より詳細には、冷媒受け８０の周縁部と凹状の冷媒支持部８１との間の段差によって、冷媒支持部８１に保持された冷媒Ｃが冷媒受け８０の周縁部を超えて外側へ移動することが防止される。また、冷媒受け８０の中央部と凹状の冷媒支持部８１との間の段差によって、冷媒支持部８１に保持された冷媒Ｃが冷媒受け８０の中央部へ移動することが防止される。これにより、冷媒Ｃを冷媒受け８０上の最適な位置に保持することができる。したがって、本実施形態によれば、保冷容器１に配置される冷媒Ｃを支持し、内容物２００に温度むらや凍結障害が生じることなく、内容物２００の保冷状態を保つことができる冷媒受け８０を提供することができる。
【０１２６】
また、本実施形態において、冷媒受け８０の周縁部は、複数の切欠き部８３と、冷媒支持部８１と切欠き部８３とを連通する複数の連通溝８４と、を有している。
【０１２７】
この構成により、冷媒受け８０の周縁部の近傍に達した冷気は、冷媒支持部８１から連通溝８４を介して切欠き部８３へ流入し、切欠き部８３を通って冷媒受け８０の下方へ流れる。これにより、冷媒支持部８１から保冷容器１の側面パネル１０の近傍に効率よく冷気を供給することができる。そのため、保冷容器１の内部に集積された複数の内容物２００のうち、外気温の影響を受けて温度が上昇しやすい側面パネル１０の近傍の内容物２００が冷媒受け８０から供給された冷気によって効率よく冷却され、複数の内容物２００の温度をより均一にすることができる。
【０１２８】
また、本実施形態の冷媒受け８０において、冷媒支持部８１は、冷媒Ｃを支持する傾斜支持面８１ａ，８１ｂと、その傾斜支持面８１ａ，８１ｂに設けられて切欠き部８３に連通する冷気溝８１ｄ，８１ｅと、冷媒受け８０の周縁部に隣接する貫通孔８１ｇと、を有している。より具体的には、傾斜支持面８１ａ，８１ｂは、たとえば、冷媒受け８０の中央部から周縁部へ近づくほど冷媒受け８０の下面に近づくように傾斜している。
【０１２９】
この構成により、冷媒Ｃによって冷却された空気である冷気は、傾斜支持面８１ａ，８１ｂの傾斜により、傾斜支持面８１ａ，８１ｂに沿って冷媒受け８０の中央部から周縁部へ流れる。傾斜支持面８１ａ，８１ｂに沿って流れて冷媒受け８０の周縁部の近傍に達した冷気は、周縁部に隣接する貫通孔８１ｇを通って冷媒受け８０の下方へ流れる。また、一部の冷気は、傾斜支持面８１ａ，８１ｂに設けられた冷気溝８１ｄ，８１ｅを流れ、切欠き部８３を通って冷媒受け８０の下方へ流れる。さらに、一部の冷気は、冷媒支持部８１から連通溝８４を介して切欠き部８３へ流入し、切欠き部８３を通って冷媒受け８０の下方へ流れる。
【０１３０】
このように、本実施形態の冷媒受け８０によれば、冷媒受け８０の上面の冷媒支持部８１によって冷媒Ｃを支持し、冷媒Ｃによって冷却された冷気を、冷媒受け８０の中央部から周縁部へ導くことができる。さらに、冷媒受け８０の周縁部に到達した冷気を、複数の貫通孔８１ｇおよび複数の切欠き部８３を通して、保冷容器１の側面パネル１０の近傍に供給することができる。そのため、保冷容器１の内部に集積された複数の内容物２００のうち、外気温の影響を受けて温度が上昇しやすい側面パネル１０の近傍の内容物２００が冷媒受け８０から供給された冷気によって効率よく冷却され、複数の内容物２００の温度をより均一にすることができる。
【０１３１】
また、傾斜支持面８１ａ，８１ｂに支持された冷媒Ｃは、冷媒受け８０の周縁部の内側の貫通孔８１ｇや、冷媒受け８０の周縁部の切欠き部８３において、温度が上昇した空気に接しやすくなる。そのため、冷媒Ｃは、冷媒受け８０の中央部側よりも周縁部側がより短時間に昇華して消失する。すると、冷媒Ｃは、重力の作用によって、傾斜支持面８１ａ，８１ｂ上を、冷媒受け８０の中央部側から周縁部側へ滑り、周縁部側の端部が周縁部に当接する位置まで移動する。
【０１３２】
これにより、冷媒Ｃは、全体が消失するまで、貫通孔８１ｇや連通溝８４が設けられた傾斜支持面８１ａ，８１ｂの外縁部に位置した状態になる。したがって、冷媒Ｃが消失するまでの間、冷媒受け８０の周縁部に隣接する貫通孔８１ｇや、冷媒受け８０の周縁部に設けられた切欠き部８３により近い位置で、冷媒Ｃによって空気を冷却することができる。これにより、貫通孔８１ｇや切欠き部８３を介して、側面パネル１０の内面１０ａの上部に、より低温の冷気をより効率よく供給することができる。
【０１３３】
さらに、本実施形態の冷媒受け８０において、傾斜支持面８１ａ，８１ｂは、たとえば冷媒支持部８１の少なくとも一部を覆う被覆材の表面である。この構成により、たとえば、冷媒受け８０の素材が発泡樹脂である場合に、傾斜支持面８１ａ，８１ｂを発泡樹脂の表面よりも平滑にして、傾斜支持面８１ａ，８１ｂと冷媒Ｃとの間の静止摩擦係数を、冷媒受け８０の素材の表面と冷媒Ｃとの間の静止摩擦係数よりも、低減することができる。これにより、傾斜支持面８１ａ，８１ｂ上の冷媒Ｃの滑りを良くして、冷媒受け８０の中央部側から周縁部側へ冷媒Ｃを移動しやすくすることができる。さらに、冷媒受け８０の素材よりも硬度および耐久性に優れた被覆材によって、冷媒支持部８１を保護することができる。
【０１３４】
また、本実施形態の保冷容器１は、前述の実施形態の保冷容器１と同様に、互いに組み付けられる底面パネル３０Ａ、側面パネル１０および天井パネル３０Ｂを有する組み立て式の保冷容器である。また、本実施形態の保冷容器１は、側面パネル１０の内面１０ａに、上方の冷気を下方に送り込む通気路である通気溝１１が上下方向に沿って形成されている。
【０１３５】
換言すると、本実施形態の保冷容器１は、底面パネル３０Ａと、側面パネル１０と、天井パネル３０Ｂと、を備え、側面パネル１０の嵌合部１２，１３に底面パネル３０Ａおよび天井パネル３０Ｂの凹凸部３１が取り外し可能に嵌合する組み立て式の保冷容器である。この保冷容器１が組み立てられた状態で、側面パネル１０は、内面１０ａに底面パネル３０Ａに垂直な高さ方向に沿って延びる複数の通気溝１１を有している。
【０１３６】
このような構成により、冷媒受け８０に支持された冷媒Ｃによって冷却された冷気は、冷媒受け８０の貫通孔８１ｇおよび切欠き部８３を通り、側面パネル１０の上部において側面パネル１０の内面１０ａに設けられた通気溝１１へ流入する。通気溝１１へ流入した冷気は、通気溝１１を通って下方へ流れる。これにより、外気温の影響により温度が上昇しやすい側面パネル１０の近傍に位置する内容物２００を、側面パネル１０の上部から下方へ流れる冷気によって効率よく冷却して、保冷することができる。
【０１３７】
図４０は、本実施形態の保冷容器１の側面パネル１０を構成する上側の単位パネル１０Ａの嵌合部１３と下側の単位パネル１０Ｂの嵌合部１２とを嵌合させた状態を示す斜視図である。
【０１３８】
前述の実施形態の保冷容器１と同様に、本実施形態の保冷容器１において、側面パネル１０は、少なくとも上下方向に複数の単位パネル１０Ａ，１０Ｂから構成されている。複数の単位パネル１０Ａ，１０Ｂの一方の面には通気路を構成する通気溝１１が上下方向に沿って形成されている。単位パネル１０Ａ，１０Ｂの上下方向の端縁にはそれぞれ嵌合部１２，１３が設けられている。嵌合部１２，１３には、通気溝１１に連通する連通部が形成されている。上側の単位パネル１０Ａの嵌合部１３と下側の単位パネル１０Ｂの嵌合部１２とが嵌合されると、上側の単位パネル１０Ａの通気溝１１と下側の単位パネルの通気溝１１とが連通部を介して連通される。
【０１３９】
すなわち、嵌合部１２，１３は、単位パネル１０Ａ，１０Ｂの上下方向の端縁に形成された嵌合凹部１５と嵌合凸部１４とから構成されている。上記連通部は、嵌合凸部１４に設けられた縦溝１４ａと横溝１４ｂとからなる。縦溝１４ａは通気溝１１と連通されている。上側の単位パネル１０Ａの嵌合部１３と下側の単位パネル１０Ｂの嵌合部１２とが嵌合されると、嵌合凸部１４に設けられた横溝１４ｂ同士が接続されて、上側の単位パネル１０Ａの通気溝１１と下側の単位パネル１０Ｂの通気溝１１とが連通される。
【０１４０】
換言すると、本実施形態の保冷容器１において、側面パネル１０は、複数の単位パネル１０Ａ，１０Ｂによって分解可能に構成されている。各単位パネル１０Ａ，１０Ｂは、高さ方向の一端と他端に嵌合部１２，１３を有し、高さ方向に並んだ一方の単位パネル１０Ａの嵌合部１３と他方の単位パネル１０Ｂの嵌合部１２とが嵌合するように設けられている。嵌合部１２，１３は、一端が通気溝１１に連通して単位パネル１０Ａ，１０Ｂの内面１０ａに沿って保冷容器１の高さ方向に延びる縦溝１４ａと、その縦溝１４ａの他端に連通して単位パネル１０Ａ，１０Ｂの内面１０ａに沿って保冷容器１の高さ方向に直交する横方向に延びる横溝１４ｂとを有する。本実施形態の保冷容器１は、一方の単位パネル１０Ａの嵌合部１３と、他方の単位パネル１０Ｂの嵌合部１２とが嵌合した状態で、一方の単位パネル１０Ａの嵌合部１３に設けられた横溝１４ｂと、他方の単位パネル１０Ｂに設けられた横溝１４ｂとが横方向に連通している。
【０１４１】
このような構成により、保冷容器１の不使用時には、側面パネル１０を複数の単位パネル１０Ａ，１０Ｂに分解することができ、保冷容器１をコンパクトに収納し、保管し、または、輸送することができる。また、保冷容器１の使用時には、複数の単位パネル１０Ａ，１０Ｂを組み立てて側面パネル１０を構成することができる。なお、側面パネル１０は、一つの単位パネル１０Ａもしくは単位パネル１０Ｂ、または、三つ以上の単位パネル１０Ａもしくは単位パネル１０Ｂによって構成することも可能である。これにより、保冷容器１の内部に収容される内容物２００の高さに応じて、側面パネル１０の高さを変更することができる。
【０１４２】
また、図４０に示すように、高さ方向に並んだ一方の単位パネル１０Ａの嵌合部１３と他方の単位パネル１０Ｂの嵌合部１２とが嵌合する。すると、一方の単位パネル１０Ａの嵌合部１３に設けられた横溝１４ｂと、他方の単位パネル１０Ｂに設けられた横溝１４ｂとが横方向に連通する。これにより、一方の単位パネル１０Ａに設けられた複数の通気溝１１と、他方の単位パネル１０Ｂに設けられた複数の通気溝１１とを、単位パネル１０Ａおよび単位パネル１０Ｂの複数の縦溝１４ａおよび横溝１４ｂを介して連通させることができる。
【０１４３】
これにより、冷媒受け８０の周縁部から一方の単位パネル１０Ａに設けられた複数の通気溝１１の上部に供給された冷気は、その単位パネル１０Ａに設けられた複数の通気溝１１から、その単位パネル１０Ａに設けられた複数の縦溝１４ａに流入する。この一方の単位パネル１０Ａの複数の縦溝１４ａに流入した冷気は、その単位パネル１０Ａの横溝１４ｂを流れ、他方の単位パネル１０Ｂの横溝１４ｂに流入する。この他方の単位パネル１０Ｂの横溝１４ｂに流入した冷気は、その単位パネル１０Ｂの縦溝１４ａを流れて、その単位パネル１０Ｂの通気溝１１に流入して、底面パネル３０Ａに到達する。
【０１４４】
このように、上記の構成によれば、冷媒受け８０の周縁部から一方の単位パネル１０Ａの上部に供給された冷気を、単位パネル１０Ａの通気溝１１、縦溝１４ａ、および横溝１４ｂ、ならびに単位パネル１０Ｂの横溝１４ｂ、縦溝１４ａ、および通気溝１１を介して、底面パネル３０Ａまで導くことができる。したがって、本実施形態の保冷容器１によれば、外気温の影響により温度が上昇しやすい側面パネル１０の近傍に位置する内容物２００を、冷媒受け８０の周縁部から底面パネル３０Ａへ流れる冷気によって効率よく冷却して、保冷することができる。
【０１４５】
また、上記の構成によれば、保冷容器１を組み立てたときに、底面パネル３０Ａおよび天井パネル３０Ｂと、側面パネル１０との間に、保冷容器１の内部と外部とを連通する流路が形成されることを、防止できる。より具体的には、たとえば、単位パネル１０Ａおよび単位パネル１０Ｂが、嵌合部１２，１３に縦溝１４ａおよび横溝１４ｂを有しておらず、通気溝１１が嵌合部１２，１３の端面まで延びている場合を想定する。この場合、通気溝１１によって、底面パネル３０Ａおよび天井パネル３０Ｂと、側面パネル１０との間に、保冷容器１の内部と外部とを連通する流路が形成される。
【０１４６】
これに対し、本実施形態の保冷容器１は、上記の構成を備えることで、次のような作用を生じる。一方の単位パネル１０Ａの嵌合部１２と天井パネル３０Ｂの凹凸部３１とを嵌合させると、単位パネル１０Ａにおいて、縦溝１４ａを介して通気溝１１に連通する横溝１４ｂの両端部が、天井パネル３０Ｂの凸部３２の側面によって封鎖される。同様に、他方の単位パネル１０Ｂの嵌合部１３と、底面パネル３０Ａの凹凸部３１とを嵌合させると、単位パネル１０Ｂにおいて、縦溝１４ａを介して通気溝１１に連通する横溝１４ｂの両端部が、底面パネル３０Ａの凸部３２の側面によって封鎖される。したがって、本実施形態の保冷容器１によれば、底面パネル３０Ａおよび天井パネル３０Ｂと、側面パネル１０との間に、保冷容器１の内部と外部とを連通する流路が形成されるのを防止して、組立式の保冷容器１の保冷性能を向上させることができる。
【０１４７】
また、前述の実施形態の保冷容器１と同様に、本実施形態の保冷容器１において、嵌合部１２，１３は、単位パネル１０Ａ，１０Ｂの上下方向の端縁に形成された複数の嵌合凹部１５と複数の嵌合凸部１４とから構成されている。上側の単位パネル１０Ａの嵌合部１３と下側の単位パネル１０Ｂの嵌合部１２とが嵌合されるときに、当接される嵌合凹部１５同士の一方の嵌合凹部１５の端面に突起３６が形成され、他方の嵌合凸部１４の端面に突起３６を受け入れる窪み３７が形成されている。
【０１４８】
換言すると、本実施形態の保冷容器１において、単位パネル１０Ａ，１０Ｂは、嵌合部１２，１３の嵌合凸部１４，１６の一方の側面と他方の側面に、それぞれ、突起３６と窪み３７を有している。この突起３６と窪み３７は、二つの単位パネル１０Ａ，１０Ｂを組み合わせるときに、一方の単位パネル１０Ａの突起３６と他方の単位パネル１０Ｂの窪み３７とが係合するように設けられている。また、この突起３６と窪み３７は、組み合わせた二つの単位パネル１０Ａ，１０Ｂを分解するときに、一方の単位パネル１０Ａの突起３６と他方の単位パネル１０Ｂの窪み３７との係合が解除されるように設けられている。
【０１４９】
このような構成により、保冷容器１を組み立てる作業者は、単位パネル１０Ａの嵌合部１３と単位パネル１０Ｂの嵌合部１２の嵌合が適切に行われたことを、感覚的に確認することができる。具体的には、作業者が単位パネル１０Ａの嵌合部１３と単位パネル１０Ｂの嵌合部１２とを適切に嵌合させると、一方の単位パネル１０Ａの突起３６と他方の単位パネル１０Ｂの３７とが係合して、単位パネル１０Ａと単位パネル１０Ｂとの相対的な移動が規制される。これにより、作業者は、単位パネル１０Ａの嵌合部１３と単位パネル１０Ｂの嵌合部１２の嵌合が適切に行われたことを、感覚的に確認することができる。一方、単位パネル１０Ａと単位パネル１０Ｂとを分離させるときには、一方の単位パネル１０Ａの突起３６と他方の単位パネル１０Ｂの窪み３７との係合が解除されるため、側面パネル１０の分解に支障を来すことはない。このような突起３６と窪み３７との係合は、窪み３７に係合する突起３６の高さを調整することで、実現することができる。
【０１５０】
また、前述の実施形態の保冷容器１は、図１６から図２１に示すように、冷媒を支持する冷媒受け５０を備えている。この冷媒受け５０は、側面パネル１０に支持される本体部５１と、その本体部５１の上面５１ａを第１空間５２と第２空間５３とに区画する区画壁部５４と、冷媒の冷気を本体部５１の上面５１ａから下側へ送り込む流路と、を有している。また、区画壁部５４には、第１空間５２と第２空間５３とを連通する通路５６が形成されている
【０１５１】
すなわち、図１６から図２１に示す前述の実施形態の保冷容器１は、底板である底面パネル３０Ａと、底板周縁を囲む側板である側面パネル１０、およびその側板の上端部に形成される開口を塞ぐ天板である単位パネル１０Ｂからなる。この前述の実施形態の保冷容器１は、容器内の上部に配置される冷媒を支持する冷媒受け５０を備える。冷媒受け５０は側板の上部に設置される。冷媒受け５０は、本体部５１と、その本体部５１の上面５１ａに第１空間５２および第２空間５３を区画する区画壁である区画壁部５４と、冷媒の冷気を本体部５１の上面５１ａから下側へ送り込む流路とを有する。第１空間５２には、相対的に融点の低い冷媒が配置され、第２空間５３には、相対的に融点の高い冷媒が配置される。
【０１５２】
すなわち、図１６から図２１に示す前述の実施形態の冷媒受け５０は、本体部５１の上面５１ａに第１空間５２および第２空間５３を区画する区画壁部５４と、冷媒の冷気を本体部５１の上面５１ａから下側へ送り込む流路と、を有し、第１空間５２および第２空間５３にて冷媒を支持する。
【０１５３】
換言すると、図１６から図２１に示す前述の実施形態の冷媒受け５０は、保冷容器１の側面パネル１０に支持されて、保冷容器１の上部に配置される。冷媒受け５０は、その中央部と周縁部とを区画する区画壁部５４と、その中央部と周縁部に設けられた冷媒支持部と、区画壁部５４に設けられて中央部の冷媒支持部と周縁部の冷媒支持部とを連通する通路５６と、周縁部の冷媒支持部に設けられた複数の貫通孔５５と、周縁部の外縁に設けられた複数の切り欠き５８と、を備えている。
【０１５４】
この構成により、冷媒受け５０は、本体部５１の上面５１ａの第１空間５２である中央部に設けられた冷媒支持部と、本体部５１の上面５１ａの第２空間５３である周縁部に設けられた冷媒支持部とに、それぞれ冷媒を支持することができる。具体的には、前述のように、たとえば、冷媒受け５０の中央部の冷媒支持部にドライアイスを配置し、冷媒受け５０の周縁部の冷媒支持部に氷を配置することができる。この場合、ドライアイスによって冷却された冷気が、区画壁部５４に設けられた通路５６を通過して、冷媒受け５０の周縁部の氷を冷却する。これにより、冷媒受け５０の周縁部の冷媒支持部に配置された氷の融解を遅延させることができる。
【０１５５】
さらに、冷媒受け５０の中央部の冷媒支持部に支持されたドライアイスによって冷却され、通路５６を通過して氷を冷却した冷気は、冷媒受け５０の周縁部の冷媒支持部に設けられた貫通孔５５と、周縁部の外縁の切り欠き５８とを通過する。また、冷媒受け５０の周縁部の冷媒支持部に支持された氷によって冷却された冷気も、同様に貫通孔５５と切り欠き５８を通過する。これらの冷気は、冷媒受け５０の周縁部から、保冷容器１の上部の側面パネル１０の近傍に供給される。
【０１５６】
したがって、図１６から図２１に示す前述の実施形態の冷媒受け５０においても、本実施形態の冷媒受け８０と同様の効果を奏することができる。すなわち、保冷容器１の内部に集積された複数の内容物２００のうち、外気温の影響を受けて温度が上昇しやすい側面パネル１０の近傍の内容物２００が、冷媒受け５０から供給された冷気によって効率よく冷却され、複数の内容物２００の温度をより均一にすることができる。
【０１５７】
また、前述の実施形態の保冷容器１と同様に、本実施形態の保冷容器１は、その保冷容器１内に収容される内容物２００を上下方向に覆う保冷シート７０を備える。すなわち、前述の実施形態の保冷容器１と同様に、本実施形態の保冷容器１は、少なくとも側板である側面パネル１０と天板である天井パネル３０Ｂとの内側が、保冷シート７０によって覆われている。保冷シート７０は発泡樹脂シートの少なくとも一方の面７０ａに金属層を有し、保冷シート７０の金属層の面７０ａが冷媒受け８０の本体部の上面に向けられている。
【０１５８】
換言すると、本実施形態の保冷容器１は、冷媒受け８０に支持される冷媒Ｃの少なくとも一部を覆うととともに、保冷容器１に収容される内容物２００の少なくとも一部を覆う保冷シート７０を備えている。保冷シート７０は、冷媒Ｃおよび内容物２００に対向する金属層と、天井パネル３０Ｂおよび側面パネル１０に対向する発泡樹脂層とを有している。
【０１５９】
このような構成により、保冷シート７０の発泡樹脂層によって、天井パネル３０Ｂおよび側面パネル１０と冷媒Ｃとの間、ならびに側面パネル１０と内容物２００との間を断熱することができる。これにより、保冷容器１の外部から天井パネル３０Ｂおよび側面パネル１０を介して冷媒Ｃおよび内容物２００に伝わる熱を低減することができる。また、保冷シート７０の金属層が冷媒Ｃによって冷却されて、内容物２００の熱を奪う。これにより、保冷容器１の内部に集積された複数の内容物２００のうち、外気温の影響を受けて温度が上昇しやすい側面パネル１０の近傍の内容物２００を保冷シート７０の金属層によって効率よく冷却して、複数の内容物２００の温度をより均一にすることができる。
【０１６０】
また、本実施形態の保冷容器１において、底面パネル３０Ａは、前述のように、図３８に示す複数の仮穴３８を有している。仮穴３８は、保冷容器１の内容物２００を固縛するための締結バンド５００を通すことによって破断される底壁を有する。
【０１６１】
この構成により、仮穴３８に締結バンド５００を通さない場合は、仮穴３８を閉塞した状態に維持することができ、保冷容器１の内部の冷気が仮穴３８から外部へ漏れるのを防止することができる。また、仮穴３８に締結バンド５００を通す場合は、図３９に示すように、保冷容器１の内部で、内容物２００をパレット１００および底面パネル３０Ａに固定することができる。これにより、保冷容器１の内部の内容物２００の安定性を向上させ、荷崩れを防止することができる。
【０１６２】
以上説明したように、本実施形態によれば、内容物２００に温度むらや凍結障害が生じることなく、内容物２００の保冷状態を保つことができる保冷容器１を提供することができる。また、本実施形態によれば、保冷容器１に配置される冷媒Ｃを支持し、内容物２００に温度むらや凍結障害が生じることなく、内容物２００の保冷状態を保つことができる冷媒受け８０を提供することができる。
【０１６３】
また、保冷容器１によって内容物２００の集合包装を行うことで、個々の内容物２００の包装に発泡樹脂製の断熱容器を用いる必要が無くなり、単位体積当たりの物品の輸送量を向上させ、輸送効率を向上させることが可能になる。すなわち、本実施形態の保冷容器１は、輸送効率が高く、前述のように、軽量で高い保冷性能を有する。したがって、たとえば、他の輸送方法と比較して短時間に長距離を輸送可能で輸送コストが高い空輸に適している。
【符号の説明】
【０１６４】
１・・・保冷容器
１０・・・側面パネル
１０Ａ，１０Ｂ・・・単位パネル
１１・・・通気溝
１２，１３，１８，１９・・・嵌合部
１４，１６，２１，２２・・・嵌合凸部
１５，１７，２０，２３・・・嵌合凹部
２４，２５・・・保持溝
３０Ａ・・・底面パネル
３０Ｂ・・・天井パネル
３１・・・凹凸部
３２・・・凸部
３３・・・凹部
３５・・・窪み部
３６・・・突起
３７・・・窪み
３８・・・仮穴
５０・・・冷媒受け
５１・・・本体部
５２・・・第１空間
５３・・・第２空間
５４・・・区画壁部
５５・・・貫通孔
５６・・・通路
５７・・・水受け部
５８・・・切り欠き
６０・・・補強材
７０・・・保温シート
８０・・・冷媒受け
８１・・・冷媒支持部
８３・・・切欠き部
８４・・・連通溝
８１ａ・・・傾斜支持面
８１ｂ・・・傾斜支持面
８１ｄ・・・冷気溝
８１ｅ・・・冷気溝
８１ｇ・・・貫通孔
１００・・・パレット
２００・・・内容物
３００・・・空洞
４００・・・ドライアイス
４１０・・・氷
５００・・・締結バンド
【図１】
2020055630.tif 000003
【図２】
2020055630.tif 000004
【図３】
2020055630.tif 000005
【図４】
2020055630.tif 000006
【図５】
2020055630.tif 000007
【図６】
2020055630.tif 000008
【図７】
2020055630.tif 000009
【図８】
2020055630.tif 000010
【図９】
2020055630.tif 000011
【図１０】
2020055630.tif 000012
【図１１】
2020055630.tif 000013
【図１２】
2020055630.tif 000014
【図１３】
2020055630.tif 000015
【図１４】
2020055630.tif 000016
【図１５】
2020055630.tif 000017
【図１６】
2020055630.tif 000018
【図１７】
2020055630.tif 000019
【図１８】
2020055630.tif 000020
【図１９】
2020055630.tif 000021
【図２０】
2020055630.tif 000022
【図２１】
2020055630.tif 000023
【図２２】
2020055630.tif 000024
【図２３】
2020055630.tif 000025
【図２４】
2020055630.tif 000026
【図２５】
2020055630.tif 000027
【図２６】
2020055630.tif 000028
【図２７】
2020055630.tif 000029
【図２８】
2020055630.tif 000030
【図２９】
2020055630.tif 000031
【図３０】
2020055630.tif 000032
【図３１】
2020055630.tif 000033
【図３２】
2020055630.tif 000034
【図３３】
2020055630.tif 000035
【図３４】
2020055630.tif 000036
【図３５】
2020055630.tif 000037
【図３６】
2020055630.tif 000038
【図３７】
2020055630.tif 000039
【図３８】
2020055630.tif 000040
【図３９】
2020055630.tif 000041
【図４０】
2020055630.tif 000042